(57)【特許請求の範囲】
【請求項１】
移動端末装置と無線通信を行う無線基地局装置において、
前記移動端末装置との間で行われたデータの再送の有無に基づいて、ハンドオーバ先の無線基地局装置に転送する転送対象データを決定する転送対象データ決定部と、
前記決定した転送対象データを前記ハンドオーバ先の無線基地局装置に転送するデータ転送処理部と
を備え、
前記転送対象データ決定部は、
データの再送が有りの場合、前記移動端末装置への送信後に受信確認通知を受けていないデータを前記転送対象データに含め、
データの再送が無しの場合、前記移動端末装置への送信後に受信確認通知を受けていないデータを前記転送対象データに含めない、
ことを特徴とする無線基地局装置。
【請求項２】
移動端末装置と無線通信を行う無線基地局装置において、
前記移動端末装置との間の無線品質に基づいて、ハンドオーバ先の無線基地局装置に転送する転送対象データを決定する転送対象データ決定部と、
前記決定した転送対象データを前記ハンドオーバ先の無線基地局装置に転送するデータ転送処理部と
を備え、
前記転送対象データ決定部は、
前記移動端末装置との間の無線品質が劣の場合、前記移動端末装置への送信後に受信確認通知を受けていないデータを前記転送対象データに含め、
前記移動端末装置との間の無線品質が良の場合、前記移動端末装置への送信後に受信確認通知を受けていないデータを前記転送対象データに含めない、
ことを特徴とする無線基地局装置。
【請求項３】
移動端末装置と無線通信を行う無線基地局装置において、
前記移動端末装置との間で行われたデータの再送の有無と前記移動端末装置との間の無線品質とに基づいて、ハンドオーバ先の無線基地局装置に転送する転送対象データを決定する転送対象データ決定部と、
前記決定した転送対象データを前記ハンドオーバ先の無線基地局装置に転送するデータ転送処理部と
を備え、
前記転送対象データ決定部は、
データの再送が有りの場合、前記移動端末装置への送信後に受信確認通知を受けていないデータを前記転送対象データに含め、
データの再送が無しの場合であって、前記移動端末装置との間の無線品質が劣のとき、前記移動端末装置への送信後に受信確認通知を受けていないデータを前記転送対象データに含め、
データの再送が無しの場合であって、前記移動端末装置との間の無線品質が良のとき、前記移動端末装置への送信後に受信確認通知を受けていないデータを前記転送対象データに含めない、
ことを特徴とする無線基地局装置。
【請求項４】
移動端末装置と無線通信を行う無線基地局装置におけるデータ転送方法であって、
前記移動端末装置との間で行われたデータの再送の有無に基づいて、ハンドオーバ先の無線基地局装置に転送する転送対象データを決定し、
前記決定した転送対象データを前記ハンドオーバ先の無線基地局装置に転送するデータ転送方法において、
データの再送が有りの場合、前記移動端末装置への送信後に受信確認通知を受けていないデータを前記転送対象データに含め、
データの再送が無しの場合、前記移動端末装置への送信後に受信確認通知を受けていないデータを前記転送対象データに含めない、
ことを特徴とするデータ転送方法。
【請求項５】
移動端末装置と無線通信を行う無線基地局装置におけるデータ転送方法であって、
前記移動端末装置との間の無線品質に基づいて、ハンドオーバ先の無線基地局装置に転送する転送対象データを決定し、
前記決定した転送対象データを前記ハンドオーバ先の無線基地局装置に転送するデータ転送方法において、
前記移動端末装置との間の無線品質が劣の場合、前記移動端末装置への送信後に受信確認通知を受けていないデータを前記転送対象データに含め、
前記移動端末装置との間の無線品質が良の場合、前記移動端末装置への送信後に受信確認通知を受けていないデータを前記転送対象データに含めない、
ことを特徴とするデータ転送方法。
【請求項６】
移動端末装置と無線通信を行う無線基地局装置におけるデータ転送方法であって、
前記移動端末装置との間で行われたデータの再送の有無と前記移動端末装置との間の無線品質とに基づいて、ハンドオーバ先の無線基地局装置に転送する転送対象データを決定し、
前記決定した転送対象データを前記ハンドオーバ先の無線基地局装置に転送するデータ転送方法において、
データの再送が有りの場合、前記移動端末装置への送信後に受信確認通知を受けていないデータを前記転送対象データに含め、
データの再送が無しの場合であって、前記移動端末装置との間の無線品質が劣のとき、前記移動端末装置への送信後に受信確認通知を受けていないデータを前記転送対象データに含め、
データの再送が無しの場合であって、前記移動端末装置との間の無線品質が良のとき、前記移動端末装置への送信後に受信確認通知を受けていないデータを前記転送対象データに含めない、
ことを特徴とするデータ転送方法。
【請求項７】
更に、前記移動端末装置に送信するデータを記憶するメモリ部を備え、
前記転送対象データ決定部は、
前記移動端末装置の前記ハンドオーバ先の無線基地局装置へのハンドオーバが決定された場合に前記メモリ部に記憶された第１のデータ群に含まれるデータのうち第１のデータは前記移動端末装置に送信されており、前記第１のデータ群に含まれる第２のデータは前記移動端末装置に送信されていないとき、
前記第２のデータを前記移動端末装置に送信し終えるまでの予測時間が前記移動端末装置とハンドオーバ元基地局との通信が可能な保留可能時間未満である場合、前記第２のデータを前記転送対象データに含めず、
前記第２のデータを前記移動端末装置に送信し終えるまでの予測時間が前記移動端末装置とハンドオーバ元基地局との通信が可能な保留可能時間以上である場合、前記第２のデータを前記転送対象データに含める、
ことを特徴とする請求項１乃至請求項３のいずれかに記載の無線基地局装置。
【発明の詳細な説明】
【技術分野】
【０００１】
本発明は、無線基地局装置、及び無線基地局装置におけるデータ転送方法に関する。
【背景技術】
【０００２】
現在、携帯電話システムや無線ＬＡＮ（Local Area Network）などの無線通信システムが広く利用されている。また、無線通信の分野では、通信速度や通信容量を更に向上させるべく、次世代の通信技術について継続的な議論が行われている。例えば、標準化団体の１つである３ＧＰＰ（3rd Generation Partnership Project）では、ＬＴＥ（Long Term Evolution）と呼ばれる無線通信システムや、ＬＴＥを発展させたＬＴＥ−Ａ（Long Term Evolution−Advanced）と呼ばれる無線通信システムが提案されている。
【０００３】
このような無線通信システムにおいて、ハンドオーバと呼ばれる技術がある。ハンドオーバは、例えば、移動端末装置（Mobile Station、以下「端末」）が接続する無線基地局装置（Evolved UTRAN NodeB (ENB)、以下「基地局」）を切替えるようにする技術である。これにより端末は、受信電波が一定値より弱くなると他の基地局に接続を切替えることで、継続して無線通信を行うことができる。
【０００４】
ハンドオーバにおいては、ハンドオーバ元の基地局から端末にデータが送信されず、ハンドオーバ先の基地局に対してデータが転送（Forwarding）される場合がある。このような転送により、例えば、端末はハンドオーバ先の基地局に接続が切り替わったときでもハンドオーバ先の基地局から継続してデータを受信することができる。
【０００５】
このようなハンドオーバにおける基地局間のデータの転送方法に関しては、例えば、２つの方法がある。１つ目は、端末に送信していないデータを転送データ（Forwardingデータ）としてハンドオーバ先の基地局に転送する方法（以下、この方法を「モード１」と称する）である。また、２つ目は、端末からＡｃｋ信号（又は受信確認通知）を受けていないデータを転送データとしてハンドオーバ先の基地局に転送する方法である（以下、この方法を「モード２」と称する）。
【０００６】
図２９はモード１、図３０はモード２の転送方法における動作例を夫々表わすシーケンス図である。いずれの例においても、端末ＵＥはサービング基地局Ｓ−ＥＮＢに接続し、ハンドオーバ先としてターゲット基地局Ｔ−ＥＮＢにハンドオーバする例である。また、いずれの場合においても、サービング基地局Ｓ−ＥＮＢはゲートウェイＧＷから３つのＳＤＵ（Service Data Unit、ＳＤＵ−Ａ〜ＳＤＵ−Ｃ）を受信し、このうちＳＤＵ−Ａのデータを端末ＵＥに送信しているものとする。なお、ＳＤＵ‐Ａにはシーケンス番号ＳＮ１〜ＳＮ６のＰＤＵ（Protocol Data Unit）が含まれ、ＳＤＵ‐Ｂにはシーケンス番号ＳＮ７〜ＳＮ１３のＰＤＵが含まれている。いずれの例においても、サービング基地局Ｓ−ＥＮＢはシーケンス番号ＳＮ１〜ＳＮ６のＰＤＵを端末ＵＥに送信し、シーケンス番号ＳＮ１〜ＳＮ３のＰＤＵに対するＡｃｋ信号を受信しているものとする。
【０００７】
このような状況において、モード１はＡｃｋ信号の有無に拘わらず未送信データを転送データとするため、図２９の例ではＳＤＵ−Ｂに属するＳＮ７以降のＰＤＵが転送データとなる。この場合、サービング基地局Ｓ−ＥＮＢはターゲット基地局Ｔ−ＥＮＢに対して、シーケンス番号ＳＮ７を通知し（Ｓ１０４）、ＳＤＵ‐ＢとＳＤＵ−Ｃのデータを転送する（Ｓ１０５）。そして、基地局Ｔ−ＥＮＢは、端末ＵＥにシーケンス番号ＳＮ７以降のＰＤＵを送信する（Ｓ１０６）。
【０００８】
一方、モード２はＡｃｋ信号を受けていないデータを転送データとするため、図３０の例では、シーケンス番号ＳＮ４以降のＰＤＵが転送データとなる。この場合、サービング基地局Ｓ−ＥＮＢはターゲット基地局Ｔ−ＥＮＢに対してシーケンス番号ＳＮ４を通知し（Ｓ１１０）、シーケンス番号ＳＮ４のＰＤＵを含むＳＤＵ−Ａ、ＳＤＵ−Ｂ、及びＳＤＵ−Ｃのデータを転送する（Ｓ１１１）。そして、基地局Ｔ−ＥＮＢは、シーケンス番号ＳＮ４以降のＰＤＵを端末ＵＥに送信する（Ｓ１０６）。
【先行技術文献】
【特許文献】
【０００９】
【特許文献１】特開２００９‐２６７８４０号公報
【特許文献２】特開２０００‐６９５２２号公報
【特許文献３】特開２００６‐２１７２１９号公報
【特許文献４】特開２００７‐９６９６８号公報
【発明の概要】
【発明が解決しようとする課題】
【００１０】
しかし、モード１の場合、端末ＵＥが受信できなかったかもしれないデータがサービング基地局Ｓ−ＥＮＢからターゲット基地局Ｔ−ＥＮＢに転送されないために、端末ＵＥにおいてデータの欠落が生じる場合がある。  
【００１１】
例えば、図２９の例では、シーケンス番号ＳＮ４〜ＳＮ６のＰＤＵについてサービング基地局Ｓ−ＥＮＢはＡｃｋ信号の受信を確認していない。そのため、端末ＵＥはシーケンス番号ＳＮ４〜ＳＮ６のＰＤＵを受信できなかった可能性もある。このような状況で、サービング基地局Ｓ−ＥＮＢはシーケンス番号ＳＮ７以降を転送しても、端末ＵＥにおいて受信できなかった可能性のあるシーケンス番号ＳＮ４〜ＳＮ６のＰＤＵを転送していないため、端末ＵＥはシーケンス番号ＳＮ４〜ＳＮ６のＰＤＵを受信できない。よって、モード１の場合、端末ＵＥにおいてシーケンス番号ＳＮ４〜ＳＮ５のＰＤＵが欠落してしまう場合ある。
【００１２】
一方、モード２の場合、Ａｃｋ信号を端末ＵＥが送信したかもしれないデータがサービング基地局Ｓ−ＥＮＢからターゲット基地局Ｔ−ＥＮＢに転送される場合もある。そのため、基地局Ｔ−ＥＮＢは重複してデータを端末ＵＥに送信し、端末ＵＥは重複してデータを受信する場合がある。
【００１３】
例えば、図３０の例では、サービング基地局Ｓ−ＥＮＢはシーケンス番号ＳＮ４〜ＳＮ６のＰＤＵについてはＡｃｋ信号を受信していないため、シーケンス番号ＳＮ４以降のＰＤＵをターゲット基地局Ｔ−ＥＮＢに転送している。このような場合、例えば、端末ＵＥはシーケンス番号ＳＮ４〜ＳＮ６について正しく受信してＡｃｋ信号を送信していたかもしれない。サービング基地局Ｓ−ＥＮＢは、Ａｃｋ信号の受信を確認する前にハンドオーバの決定を行い、データを転送する場合もある。このような状況で、サービング基地局Ｓ−ＥＮＢがターゲット基地局Ｔ−ＥＮＢにシーケンス番号ＳＮ４以降のＰＤＵを転送しても、端末ＵＥにおいて受信したかもしれないシーケンス番号ＳＮ４〜ＳＮ６のＰＤＵも転送している。そのため、基地局Ｔ−ＥＮＢは、端末ＵＥにシーケンス番号ＳＮ４〜ＳＮ６のＰＤＵを重複して送信し、端末ＵＥもシーケンス番号ＳＮ４〜ＳＮ６のＰＤＵを重複して受信することになる。端末ＵＥはデータを重複して受信した場合、当該データを破棄する処理を行うなど無駄な処理を行うことになる。
【００１４】
そこで、本発明の一目的は、ハンドオーバによるデータの欠落を防止するようにした無線基地局装置、及び無線基地局装置におけるデータ転送方法を提供することにある。
【００１５】
また、本発明の一目的は、ハンドオーバによるデータの重複送信及び重複受信を防止するようにした無線基地局装置、及び無線基地局装置におけるデータ転送方法を提供することにある。
【課題を解決するための手段】
【００１６】
一態様によれば、移動端末装置と無線通信を行う無線基地局装置において、前記移動端末装置との間で行われたデータの再送の有無に基づいて、ハンドオーバ先の無線基地局装置に転送する転送対象データを決定する転送対象データ決定部と、前記決定した転送対象データを前記ハンドオーバ先の無線基地局装置に転送するデータ転送処理部とを備える。
【発明の効果】
【００１７】
ハンドオーバによるデータの欠落を防止するようにした無線基地局装置、及び無線基地局装置におけるデータ転送方法を提供することができる。また、ハンドオーバによるデータの重複送信及び重複受信を防止するようにした無線基地局装置、及び無線基地局装置におけるデータ転送方法を提供することができる。
【図面の簡単な説明】
【００１８】
【図１】図１は無線通信システムの構成例を表わす図である。
【図２】図２は無線通信システムの構成例を表わす図である。
【図３】図３は無線基地局装置の構成例を表わす図である。
【図４】図４は移動端末装置の構成例を表わす図である。
【図５】図５は無線通信システムにおける動作例を表わすシーケンス図である。
【図６】図６は再送情報テーブルの例を表わす図である。
【図７】図７は無線通信システムにおける動作例を表わすシーケンス図である。
【図８】図８は無線通信システムにおける動作例を表わすシーケンス図である。
【図９】図９（Ａ）と図９（Ｂ）は転送対象データ決定処理の動作例を表わすフローチャートである。
【図１０】図１０は無線通信システムにおける動作例を表わすシーケンス図である。
【図１１】図１１は無線通信システムにおける動作例を表わすシーケンス図である。
【図１２】図１２は無線通信システムにおける動作例を表わすシーケンス図である。
【図１３】図１３（Ａ）は統計情報テーブルの例、図１３（Ｂ）は無線品質の判定例を夫々表わす図である。
【図１４】図１４はセルの構成例を表わす図である。
【図１５】図１５は無線通信システムにおける動作例を表わすシーケンス図である。
【図１６】図１６は無線通信システムにおける動作例を表わすシーケンス図である。
【図１７】図１７（Ａ）は電波状況テーブルの例、図１７（Ｂ）は無線品質の判定例を夫々表わす図である。
【図１８】図１８はセルの構成例を表わす図である。
【図１９】図１９は無線通信システムにおける動作例を表わすシーケンス図である。
【図２０】図２０は無線通信システムにおける動作例を表わすシーケンス図である。
【図２１】図２１は転送対象データ決定処理の動作例を表わすフローチャートである。
【図２２】図２２は転送対象データの例を表わす図である。
【図２３】図２３は無線通信システムにおける動作例を表わすシーケンス図である。
【図２４】図２４は転送対象データの例を表わす図である。
【図２５】図２５は無線通信システムにおける動作例を表わすシーケンス図である。
【図２６】図２６は無線通信システムにおける動作例を表わすシーケンス図である。
【図２７】図２７は無線通信システムにおける動作例を表わすシーケンス図である。
【図２８】図２８は無線通信システムの構成例を表わす図である。
【図２９】図２９は無線通信システムにおける動作例を表わすシーケンス図である。
【図３０】図３０は無線通信システムにおける動作例を表わすシーケンス図である。
【図３１】図３１は無線通信システムにおける動作例を表わすシーケンス図である。
【図３２】図３２は転送対象のＳＤＵの例を表わす図である。
【図３３】図３３は無線通信システムにおける動作例を表わすシーケンス図である。
【図３４】図３４は再送情報テーブルの例を表わす図である。
【図３５】図３５は送信可否決定処理の動作例を表わすフローチャートである。
【図３６】図３６（Ａ）及び図３６（Ｂ）は無線通信システムにおける動作例をそれぞれ表わすシーケンス図である。
【図３７】図３７は転送対象データ決定処理の動作例を表わすフローチャートである。
【図３８】図３８は無線通信システムにおける動作例を表わすシーケンス図である。
【図３９】図３９は転送対象データ決定処理の動作例を表わすフローチャートである。
【図４０】図４０は無線通信システムにおける動作例を表わすシーケンス図である。
【図４１】図４１は無線通信システムにおける動作例を表わすシーケンス図である。
【図４２】図４２は転送対象データ決定処理の動作例を表わすフローチャートである。
【図４３】図４３は転送対象データの例を表わす図である。
【図４４】図４４は無線通信システムにおける動作例を表わすシーケンス図である。
【図４５】図４５は無線通信システムにおける動作例を表わすシーケンス図である。
【図４６】図４６は無線通信システムにおける動作例を表わすシーケンス図である。
【図４７】図４７は無線通信システムにおける動作例を表わすシーケンス図である。
【図４８】図４８は無線通信システムにおける動作例を表わすシーケンス図である。
【図４９】図４９は無線通信システムにおける動作例を表わすシーケンス図である。
【図５０】図５０は無線通信システムにおける動作例を表わすシーケンス図である。
【図５１】図５１は無線通信システムにおける動作例を表わすシーケンス図である。
【図５２】図５２は無線通信システムにおける動作例を表わすシーケンス図である。
【図５３】図５３は無線通信システムにおける動作例を表わすシーケンス図である。
【図５４】図５４は無線通信システムにおける動作例を表わすシーケンス図である。
【図５５】図５５は無線通信システムにおける動作例を表わすシーケンス図である。
【図５６】図５６は転送対象データの例を表わす図である。
【発明を実施するための形態】
【００１９】
以下、本発明を実施するための形態について説明する。
【００２０】
［第１の実施の形態］
最初に第１の実施の形態について説明する。図１は第１の実施の形態における無線通信システム１０の構成例を表わす図である。無線通信システム１０は、無線基地局装置２００ａ，２００ｂと移動端末装置１００とを備える。
【００２１】
移動端末装置１００は、無線基地局装置２００ａ，２００ｂと無線通信可能であり、ハンドオーバ元の無線基地局装置２００ａからハンドオーバ先の無線基地局装置２００ｂに無線接続を切替えることができる。
【００２２】
無線基地局装置２００ａは、転送対象データ決定部２７０とデータ転送処理部２８０とを備える。
【００２３】
転送対象データ決定部２７０は、移動端末装置１００との間で行われたデータの再送の有無に基づいて、ハンドオーバ先の無線基地局装置２００ｂに転送する転送対処データを決定することができる。また、転送対象データ決定部２７０は、移動端末装置１００との間の無線品質に基づいて、ハンドオーバ先の無線基地局装置２００ｂに転送する転送対象データを決定することもできる。さらに、転送対象データ決定部２７０は、移動端末装置１００との間で行われたデータの再送の有無と移動端末装置１００との間の無線品質とに基づいて、ハンドオーバ先の無線基地局装置２００ｂに転送する転送対象データを決定することもできる。
【００２４】
データ転送処理部２８０は、決定した転送対象データをハンドオーバ先の無線基地局装置２００ｂに転送することができる。
【００２５】
このように、無線基地局装置２００ａは、移動端末装置１００との間で行われたデータの再送の有無に基づいて、ハンドオーバ先の無線基地局装置２００ｂに転送する転送対象データを決定している。従って、例えば、データの再送が行われたとき再送対象のデータが転送対象データとなるため、移動端末装置１００はハンドオーバ先の無線基地局装置２００ｂから再送対象データも受信でき、データの欠落を防止することができる。また、例えば、データの再送が行われなかったとき、無線基地局装置２００ａから移動端末装置１００に送信されていないデータが転送対象データとなり、無線基地局装置２００ｂによるデータの重複送信や移動端末装置１００によるデータの重複受信を防止することができる。
【００２６】
また、無線基地局装置２００ａは、移動端末装置１００との間の無線品質に基づいて、ハンドオーバ先の無線基地局装置２００ｂに転送する転送対象データを決定している。従って、例えば、無線品質が良好でなければ無線基地局装置２００ａから送信しているデータも転送対象データとなるため、移動端末装置１００はハンドオーバ先の無線基地局装置２００ｂから当該データを受信することでデータの欠落を防止できる。また、例えば、無線品質が良好であれば無線基地局装置２００ａから移動端末装置１００に送信されていないデータが転送対象データとなり、無線基地局装置２００ｂによるデータの重複送信や移動端末装置１００によるデータの重複受信を防止することができる。
【００２７】
さらに、無線基地局装置２００ａは、移動端末装置１００との間で行われたデータの再送の有無と移動端末装置１００との間の無線品質に基づいて、ハンドオーバ先の無線基地局装置２００ｂに転送する転送対象データを決定している。従って、例えば、データの再送が行われず無線品質が良好であれば、無線基地局装置２００ａから移動端末装置１００に送信されていないデータが転送対象データとなる。よって、無線基地局装置２００ｂによるデータの重複送信や移動端末装置１００によるデータの重複受信を防止できる。また、例えば、データの再送が行われなくても無線品質が良好でなかったり、データの再送が行われたとき、無線基地局装置２００ａから送信しているデータも転送対象データとなる。よって、移動端末装置１００はハンドオーバ先の無線基地局装置２００ｂから当該データを受信することでデータの欠落を防止できる。
【００２８】
［第２の実施の形態］
＜全体構成例＞
次に第２の実施の形態について説明する。図２は無線通信システム１０の構成例を表わす図である。無線通信システム１０は、移動端末装置（Mobile Station、以下「端末」）１００と、無線基地局装置（Evolved UTRAN NodeB (ENB)、以下「基地局」）２００ａ，２００ｂ、及びサービングゲートウェイ（Serving Gateway、以下「ゲートウェイ」）３００とを備える。
【００２９】
基地局２００ａ，２００ｂは端末１００と無線通信を行う無線通信装置である。基地局２００ａ，２００ｂは有線によりゲートウェイ３００と接続され、ゲートウェイ３００と端末１００との間でデータ信号（以下、データ）を送受信することができる。また、基地局２００ａ，２００ｂも互いにデータを転送（Forwarding）することができる。なお、図１の例では、２つの基地局２００ａ，２００ｂの例を表わしているが、３つ以上あってもよい。
【００３０】
端末１００は、基地局２００ａ，２００ｂと無線接続して無線通信を行う無線通信装置であり、例えば携帯電話機や情報携帯端末装置などである。端末１００は、無線通信により、基地局２００ａ，２００ｂから送信されたデータを受信することができる。また、端末１００は、無線通信により、基地局２００ａ，２００ｂへデータを送信することもできる。本明細書において、基地局２００ａ，２００ｂから端末１００の方向を下りリンク（ＤＬ：Down Link）、端末１００から基地局２００ａ，２００ｂの方向を上りリンク（ＵＬ：Uplink）と呼ぶことにする。なお、図１の例では、端末１００は１つだけ表わしているが基地局２００ａと無線接続する端末１００は複数あってもよいし、基地局２００ｂと無線接続する端末１００が１または複数あってもよい。
【００３１】
なお、図１の例において、２つの基地局２００ａ，２００ｂは双方とも同一構成であり、とくに断らない限り基地局２００として説明する。図１の例では、端末１００は基地局２００ａのセル範囲において基地局２００ａと無線通信を行い、ハンドオーバにより、近隣基地局でもある基地局２００ｂのセル範囲へ移動している様子を表わしている。
【００３２】
＜基地局２００と端末１００の各構成例＞
次に基地局２００と端末１００の各構成例について説明する。図３は本第２の実施の形態における基地局２００、図４は端末１００の構成例を夫々表わす図である。
【００３３】
基地局２００は、無線送受信部２１０と、ＲＬＣプロトコル制御部２２０と、メモリ部２３０と、呼制御部２４０と、対向Ｅ−ＮｏｄｅＢ  ＩＦ部（以下、「対向ＥＮＢ  ＩＦ部」）２５０と、ＧＷ  ＩＦ部２６０とを備える。
【００３４】
無線送受信部２１０は、端末１００へ無線信号を送信したり、端末１００から送信された無線信号を受信する。無線送受信部２１０は、例えば、メモリ部２３０に記憶されたデータを読み出し、当該データに対して誤り訂正符号化処理や変調処理、周波数変換処理などを行い無線信号に変換して端末１００に送信することができる。また、無線送受信部２１０は、例えば、端末１００から無線信号を受信すると、当該無線信号に対して周波数変換処理や復調処理、誤り訂正復号化処理などを行うことでデータを抽出し、ＲＬＣプロトコル制御部２２０に出力することができる。さらに、無線送受信部２１０は、端末１００から受信した無線信号がＡｃｋ信号（受信通知）のとき、当該Ａｃｋ信号をＲＬＣプロトコル制御部２２０に出力することもできる。なお、Ａｃｋ信号は、例えば、送信側から送信されたデータなどが受信側で正しく受信できた場合の応答信号であって、肯定応答または確認応答などと呼ばれることもある。例えば、Ａｃｋ信号は、データに対する応答信号だけでなく、基地局２００が端末１００に送信した制御信号に対する応答信号であってもよい。
【００３５】
また、無線送受信部２１０は、無線電波状況通知部２１１を備える。無線電波状況通知部２１１は、例えば、基地局２００が端末１００から送信された「Ｍｅａｓｕｒｅｍｅｎｔ  Ｒｅｐｏｒｔｓ」を表わす信号（又はメッセージ）を受信したとき、当該信号に含まれる、端末１００と基地局２００との間の無線品質を抽出する。そして、無線電波情報通知部２１１は、抽出した無線品質をハンドオーバ決定部２４１に通知する。また、無線電波状況通知部２１１は、抽出した無線品質をメモリ部２３０に記憶された電波状況テーブル２３３に保持することもできる。或いは、無線電波状況通知部２１１は、端末１００から受信したＡｃｋ信号などの無線信号に基づいて、近隣セル（または近隣エリア）ごとの無線品質を測定し、メモリ部２３０内の電波状況テーブル２３３に保持することもできる。例えば、無線電波状況通知部２１１は、受信した無線信号の電力量や、当該電力量に対するノイズなどの無線品質を電波状況テーブル２３３に保持することができる。図１５（Ａ）は電波状況テーブル２３３の例を表わしているがその詳細は後述する。
【００３６】
ＲＬＣプロトコル制御部２２０は、無線送受信部２１０から出力されたデータをメモリ部２３０に記憶し、無線送受信部２１０から出力されたＡｃｋ信号に基づいて、データの再送の有無を判別し、再送する場合は再送制御を行う。例えば、ＲＬＣプロトコル制御部２２０は、無線送受信部２１０から端末１００にデータを送信後、第１の閾値時間内に無線送受信部２１０からＡｃｋ信号を入力したとき、データの再送を行わないことを決定する。一方、ＲＬＣプロトコル制御部２２０は、データを送信後、第１の閾値時間内にＡｃｋ信号を受信できなかったとき、データの再送を行うことを決定する。ＲＬＣプロトコル制御部２２０は、データの再送を決定すると、メモリ部２３０から再送データを読み出して無線送受信部２１０に出力し、これによりデータが端末１００に送信（または再送）される。
【００３７】
また、ＲＬＣプロトコル制御部２２０は、第１のデータ通信状況収集部２２１を備える。第１のデータ通信状況収集部２２１は、呼ごとに再送が発生した状況をメモリ部２３０内の再送情報テーブル２３１に保持する。図５は再送が発生している様子の例、図６は再送情報テーブル２３１の例をそれぞれ表わす図である。
【００３８】
図５の例では、サービング基地局（Ｓ−ＥＮＢ）２００ａは、ゲートウェイ（ＧＷ）３００からＳＤＵ−Ａ〜ＳＤＵ−Ｃのデータを受信し（Ｓ１０）、サービング基地局２００ａは、ＳＤＵ−Ａ〜ＳＤＵ−Ｃの各データをＰＤＵ単位で端末１００に送信している。ＳＤＵは、例えば、ゲートウェイ３００から基地局２００ａに送信したり、基地局２００ａ，２００ｂ間で送信されるデータの単位である。ＳＤＵには１又は複数のＰＤＵが含まれ、例えば、基地局２００ａはＰＤＵ単位でデータを端末１００に送信することができる。本明細書では、１つのＳＤＵは６つのＰＤＵを含み、ＳＤＵ−Ａはシーケンス番号ＳＮ１〜ＳＮ６までのＰＤＵを含み、ＳＤＵ−Ｂはシーケンス番号ＳＮ７〜ＳＮ１３、ＳＤＵ−Ｃはシーケンス番号ＳＮ１４〜ＳＮ２０までのＰＤＵを夫々含むものとする。例えば、各ＳＤＵは１又は複数のＰＤＵを含むため、ＳＤＵをデータ群とすることもできる。なお、以下においては、ハンドオーバ元の基地局であって端末１００が接続している基地局をサービング基地局、ハンドオーバ先の基地局をターゲット基地局と適宜呼ぶことにする。端末１００がハンドオーバにより基地局の接続を切替えたとき、ターゲット基地局はサービング基地局となる。
【００３９】
図５の例では、基地局２００ａはシーケンス番号ＳＮ１〜ＳＮ６までのＰＤＵを端末１００に送信し（Ｓ２００，Ｓ２２０）、シーケンス番号ＳＮ１〜ＳＮ３までのＰＤＵに対するＡｃｋ信号を受信している（Ｓ２１０）。ここで、基地局２００ａはシーケンス番号ＳＮ４〜ＳＮ６までのＡｃｋ信号を第１の閾値期間内で受信できないことを検出できなかったため（Ｓ２３０）、シーケンス番号ＳＮ４〜ＳＮ６までのＰＤＵを再送している（Ｓ２４０）。Ａｃｋ信号の未検出やＰＤＵの再送制御は、ＲＬＣプロトコル制御部２２０で行われる。
【００４０】
図６は、このような状況において第１のデータ通信状況収集部２２１が作成した再送情報テーブル２３１の例を示す図である。再送情報テーブル２３１には、呼ごと（又は端末１００ごと）に再送が発生したか否かを示すフラグが記憶される。図６の例では、端末１００の識別ＩＤと再送の有無を表わすフラグとが記憶されるようになっており、ＵＥＩＤ＃１の端末について、再送が行われなかったことを表わすフラグ（例えば「０」）が記憶され、ＵＥＩＤ＃２の端末について、再送が行われたことを表わすフラグ（例えば「１」）が記憶されている。なお、再送情報テーブル２３１には、監視期間内における再送の有無が記憶されるようにしてもよい。この場合、例えば、第１のデータ通信状況収集部２２１はメモリ部２３０に呼ごとに再送の有無を記憶し、ハンドオーバ決定から遡って監視期間期間分の再送の有無を読み出し、再送情報テーブル２３１に記憶することができる。
【００４１】
図３に戻り、メモリ部２３０は、ＲＬＣプロトコル制御部２２０を介して無線送受信部２１０で受信したデータや、ＧＷ  ＩＦ部２６０や対向ＥＮＢ  ＩＦ部２５０を介して近隣基地局やゲートウェイ３００から夫々転送されたデータなどを記憶する。記憶したデータは適宜読み出され、無線送受信部２１０から端末１００に送信されたり、データ転送処理部２４４からハンドオーバ先のターゲット基地局２００ｂに転送される。メモリ部２３０は、上述したように、再送情報テーブル２３１（例えば図６）と、統計情報テーブル２３２（例えば図１３Ａ）、及び電波状況テーブル２３３（例えば図１７（Ａ））とを記憶する。統計情報テーブル２３２と電波状況テーブル２３３の詳細は後述する。
【００４２】
呼制御部２４０は、端末１００とゲートウェイ３００、及び近隣基地局２００との間において、データの送信や受信、転送などの制御を行う。また、呼制御部２４０は、例えば、メモリ部２３０からデータを読み出して（または回収して）、対向ＥＮＢ  ＩＦ部２５０を介して近隣基地局２００ｂにデータを転送することができる。呼制御部２４０は、ハンドオーバ決定部２４１、第２のデータ通信状況収集部２４２、転送対象データ決定部２４３、及びデータ転送処理部２４４を備える。
【００４３】
なお、第１の実施の形態における転送対象データ決定部２７０は、例えば、無線電波状況通知部２１１と、第１のデータ通信状況収集部２２１と、第２のデータ通信状況収集部２４２に対応する。また、第１の実施の形態におけるデータ転送処理部２８０は、例えば、データ転送処理部２４４と対向ＥＮＢ  ＩＦ部２５０に対応する。
【００４４】
ハンドオーバ決定部２４１は、無線電波状況通知部２１１から通知された無線品質に基づいて、ハンドオーバの要否やハンドオーバ先などを決定する。ハンドオーバ決定部２４１は、例えば、無線品質として端末１００が測定した受信電力値が第２の閾値以下のとき、ハンドオーバを行うことを決定する。また、ハンドオーバ決定部２４１は、端末１００が測定した他の基地局２００における受信電力値のうち最も高い受信電力値の基地局２００をハンドオーバ先の基地局２００ｂとして決定する。ハンドオーバ決定部２４１は、ハンドオーバ先の基地局２００ｂの識別情報などを転送対象データ決定部２４３に出力する。
【００４５】
第２のデータ通信状況収集部２４２は、近隣基地局２００が有するセル（以下、「近隣セル」）ごとにデータ通信状況を収集し、収集したデータ通信状況を統計情報としてメモリ部２３０内の統計情報テーブル２３２に保持する。図７は統計情報テーブル２３２が作成される様子の例を示す図である。図５の例と同様に、基地局２００は、シーケンス番号ＳＮ４〜ＳＮ６までのＰＤＵについては再送している（Ｓ２００〜Ｓ２４０）。その後、基地局２００は「Ｍｅａｓｕｒｅｍｅｎｔ  Ｒｅｐｏｒｔｓ」を受信してハンドオーバを行うことを決定し（Ｓ２５０，Ｓ２６０）、作成した再送情報テーブル２３１から、近隣セル毎にデータ通信状況を統計情報テーブル２３２に記憶するようにしている。図１３（Ａ）は統計情報テーブル２３２の例を表わしており、詳細は後述する。例えば、第２のデータ通信状況収集部２４２は、ハンドオーバ決定前に再送が行われた場合には、当該ハンドオーバ先の「セル」の項目に対して「再送あり」の項目をカウントアップする。一方、第２のデータ通信状況収集部２４２は、ハンドオーバ決定前に再送が行われない場合には、当該「セル」の項目に対して「再送なし」の項目をカウントアップするようにしている。
【００４６】
図３に戻り、転送対象データ決定部２４３は、再送情報テーブル２３１、統計情報テーブル２３２、又は電波状況テーブル２３３のいずれか一つ、又はこれらのテーブル２３１〜２３３の組み合わせにより、ハンドオーバ先の基地局２００ｂに転送する転送対象データを決定する。転送対象データ決定部２４３がどのようなデータを転送データとして決定するかについては後述する。転送対象データ決定部２４３は、決定した転送対象データに関する情報、例えばＳＤＵの識別番号などデータ転送処理部２４４に出力する。
【００４７】
データ転送処理部２４４は、転送対象データ決定部２４３で決定した転送対象データに関する情報に基づいて、対応する転送データをメモリ部２３０から読み出し、対向ＥＮＢ  ＩＦ部２５０に出力する。
【００４８】
対向ＥＮＢ  ＩＦ部２５０は、近隣基地局２００ｂとの間でデータなどの送受信を行う場合のインタフェースである。対向ＥＮＢ  ＩＦ部２５０は、例えば、データ転送処理部２４４から出力される転送データに対して、近隣基地局２００ｂに転送可能な形式の信号（例えば、Ｘ２フォーマットの信号）に変換して送信することができる。また、対向ＥＮＢ  ＩＦ部２５０は、近隣基地局２００ｂから送信された当該形式の信号を受信してデータなどを抽出して呼制御部２４０に出力することもできる。
【００４９】
ＧＷ  ＩＦ部２６０は、ゲートウェイ３００との間でデータなどの送受信を行う場合のインタフェースである。ＧＷ  ＩＦ部２６０は、例えば、メモリ部２３０に記憶されたデータをゲートウェイ３００に転送可能な形式の信号（例えば、Ｓ１フォーマットの信号）に変換して送信することができる。また、ＧＷ  ＩＦ部２６０は、ゲートウェイ３００から送信された当該形式の信号を受信してデータを抽出してメモリ部２３０に記憶させることもできる。
【００５０】
次に端末１００の構成例を説明する。端末１００は、例えば図４に示すように、無線送受信部１１０、呼制御部１２０、ＲＬＣプロトコル制御部１３０、及びメモリ１４０とを備える。
【００５１】
無線送受信部１１０は、基地局２００から送信された無線信号を受信することができ、また、基地局２００に無線信号を送信することもできる。無線送受信部１１０は、例えば、基地局２００から送信された無線信号を受信し、受信した無線信号に対して周波数変換処理や復調処理、誤り訂正復号処理などを行い、無線信号からデータや制御信号などを抽出する。また、無線送受信部１１０は、呼制御部１２０から出力されたデータなどに対して誤り訂正符号化処理や変調処理、周波数変換処理などを行い無線信号に変換する。
【００５２】
呼制御部１２０は、基地局２００にどのようなデータを送信するかの決定などを行う。呼制御部１２０は、例えば、無線送受信部１１０から出力されたデータをメモリ部１４０に記憶させることができ、また、基地局２００に送信するデータをメモリ部１４０から読み出して無線送受信部１１０に出力することができる。
【００５３】
ＲＬＣプロトコル制御部１３０は、例えば、データに付加されたＣＲＣ（Cyclic Redundancy Check）などの誤り検出符号に基づいて、無線送受信部１１０で受信したデータまたは制御信号について正しく復号できたか否かを判別する。例えば、ＲＬＣプロトコル制御部１３０は、正しく復号されていると判別したとき、Ａｃｋ信号を生成して基地局２００に送信するよう無線送受信部１１０に指示する。これにより、端末１００は基地局２００にＡｃｋ信号を送信することができる。なお、ＲＬＣプロトコル制御部１３０は正しく復号できなかったと判別したときはとくに何もしない。この場合にＮａｃｋ信号を送信することもできるが、例えば無線リソースを有効活用する観点から本基地局２００はＮａｃｋ信号を送信しないものとする。なお、Ｎａｃｋ信号は、送信側から送信されたデータを受信側で正しく受信できなかった場合に送信する応答信号のことであり、例えば否定応答などと呼ばれることもある。
【００５４】
メモリ部１４０は、呼制御部１２０から出力されたデータを記憶したり、ＲＬＣプロトコル制御部１３０から出力されたＡｃｋ信号の送信の有無についても記憶することができる。メモリ部１４０に記憶されたデータは、呼制御部１２０などから適宜読み出されることができる。
【００５５】
＜動作例＞
次に動作例について説明する。本動作例は、例えば図２に示すように、ハンドオーバ元の基地局であるサービング基地局２００ａが端末１００のハンドオーバを決定し、ハンドオーバ先の基地局であるターゲット基地局２００ｂにデータを転送して端末１００にデータを送信するまでの例である。サービング基地局２００ａがハンドオーバすることを決定し、かつ、端末１００に送信すべきデータをまだ送信していない状況で、端末１００が接続先を基地局２００ｂに切替える場合の例である。動作例については、以下の４つのパターンがある。すなわち、
１）呼ごとに保持した再送状態に基づいて転送対象データを決定する場合と、
２）近隣セルごとに保持した再送発生率などのデータ通信状況に基づいて転送対象データを決定する場合と、
３）ハンドオーバ元の基地局２００ａと端末１００との間の無線電波状況に基づいて転送対象データを決定する場合と、
４）上記１）から３）の組み合わせ
がある。上記１）については、サービング基地局２００ａは再送情報テーブル２３１を用いて転送対象データを決定し、上記２）については統計情報テーブル２３２を用いて転送対象データを決定し、上記３）については電波状況テーブル２３３を用いて決定する。また、上記４）についてサービング基地局２００ａは、再送情報テーブル２３１、統計情報テーブル２３２、及び電波状況テーブル２３３の組み合わせにより転送対象データを決定する。以下において、４つの動作例（第１〜第４の動作例）について個別に説明する。
【００５６】
＜第１の動作例＞
第１の動作例として、サービング基地局２００ａが呼ごとに保持した再送状態に基づいて転送対象データを決定する場合の動作例について説明する。図８と図９（Ａ）、及び図１０は第１の動作例におけるシーケンス図やフローチャートの例を夫々表わしている。このうち図８は第１の動作例のシーケンス図を表わしている。図８を例にして第１の動作例を説明する。
【００５７】
最初に、サービング基地局（ｅＮｏｄｅ−Ｂ）２００ａは、ゲートウェイ３００からＳＤＵ−Ａ〜ＳＤＵ−Ｃまでのデータを受信する（Ｓ１０）。このとき、サービング基地局２００ａは、ＧＷ  ＩＦ部２６０を介してメモリ部２３０にＳＤＵ−Ａ〜ＳＤＵ−Ｃのデータを記憶する。なお、サービング基地局２００ａのＲＬＣプロトコル制御部２２０は、例えば、端末１００に送信したＰＤＵについてＡｃｋ信号を受信すると、Ａｃｋ信号に対応するＰＤＵをメモリ部２３０から削除することができる。
【００５８】
ＳＤＵ−Ａ〜ＳＤＵ−Ｃまでのデータを受信したサービング基地局２００ａは、ＳＤＵ−Ａのデータを端末（ＵＥ：User Equipment）１００に送信し、ＳＤＵ−Ｂ，ＳＤＵ−Ｃのデータは処理待ちの状態とする。すなわち、サービング基地局２００ａは、ＳＤＵ−Ａに属するシーケンス番号ＳＮ１〜ＳＮ６までのＰＤＵを端末１００に送信し（Ｓ１１，Ｓ１３，Ｓ１５，Ｓ１６）、端末１００からシーケンス番号ＳＮ１〜ＳＮ３までのＡｃｋ信号を受信する（Ｓ１２，Ｓ１４）。また、サービング基地局２００ａは、シーケンス番号ＳＮ４〜ＳＮ６までのＡｃｋ信号については端末１００から受信していないものとする。
【００５９】
このような状態において、サービング基地局２００ａは、ハンドオーバ決定直前の監視期間において、呼ごとの再送状態を再送情報テーブル２３１（例えば図６）に保持する（Ｓ１８）。上述したように、例えば、第１のデータ通信状況収集部２２１は、端末１００毎に再送が行われたか否かを表わす情報を再送情報テーブル２３１に記憶する。再送が行われたか否かは、ＲＬＣプロトコル制御部２２０による再送制御が行われたときに、再送制御が行われた呼（または端末１００）に対して、第１のデータ通信状況収集部２２１により「再送あり」のフラグを再送情報テーブル２４１に記憶することで行われる。
【００６０】
次いで、サービング基地局２００ａは、ハンドオーバを行うことを決定する（Ｓ１９）。例えば、ハンドオーバ決定部２４１は、「Ｍｅｓｕｒｅｍｅｎｔ  Ｒｅｐｏｒｔｓ」メッセージに含まれる無線品質に基づいてハンドオーバを行うことを決定する。
【００６１】
次いで、サービング基地局２００ａはデータ転送の回収を行う（Ｓ２０）。例えば、呼制御部２４０は、ＲＬＣプロトコル制御部２２０からメモリ部２３０を介して、メモリ部２３０からデータを読み出すことで本処理を行う。ただし、本Ｓ２０の処理は、Ｓ２１の処理により転送対象データを決定した後に行われてもよい。
【００６２】
次いで、サービング基地局２００ａは、呼ごとに保持した再送状態に基づいて転送対象データを決定する（Ｓ２１）。決定は、例えば、転送対象データ決定部２４３において再送情報テーブル２３１に基づいて行われる。図９（Ａ）は本動作例における転送対象データ決定処理の動作例を表わすフローチャートである。サービング基地局２００ａがＳ２１の処理に移行したときに行われる処理である。
【００６３】
転送対象データ決定部２４３は、転送対象データ決定処理を開始すると（Ｓ２１０）、再送状態を判別する（Ｓ２１１）。例えば、転送対象データ決定部２４３は、再送情報テーブル２３１において、対象となる端末１００について再送情報のフラグがオンになっているとき、端末１００に対して再送が行われたものとして、「再送あり」と判別する。一方、転送対象データ決定部２４３は、再送情報テーブル２３１に対象となる端末１００の再送情報のフラグがオンになっていないとき、「再送なし」と判別する。
【００６４】
図１０（Ａ）は「再送あり」のシーケンス例、図１０（Ｂ）は「再送なし」のシーケンス例を夫々表わす図である。図１０（Ａ）の例では、サービング基地局２００ａは、第１の閾値期間内において、シーケンス番号ＳＮ１〜ＳＮ３のＰＤＵに対するＡｃｋ信号の受信を確認できなかったため、シーケンス番号ＳＮ１〜ＳＮ３のＰＤＵについて再送を行っている（Ｓ３０〜Ｓ３２）。この場合、再送情報テーブル２３１には再送情報のフラグ「１」が記憶され、転送対象データ決定部２４３は「再送あり」と判別する。
【００６５】
一方、図１０（Ｂ）では、サービング基地局２００ａは、シーケンス番号ＳＮ４〜ＳＮ６についてはＡｃｋ信号の受信は確認されていないものの再送自体は行われていない。図８のＳ１１〜Ｓ１６についても同じ状況である。この場合、再送情報テーブル２３１には再送情報のフラグが「０」となり、転送対象データ決定部２４３は「再送なし」と判別する。
【００６６】
図９（Ａ）に戻り、サービング基地局２００ａは、再送状態として「再送なし」と判別したとき（Ｓ２１１で「再送なし」）、転送対象データを処理中のデータの次に送信する予定の「処理待ちのＳＤＵ」とする（Ｓ２１２）。「再送なし」の場合、例えば、ＳＤＵ内のすべてのＰＤＵについて再送が行われなかったことを表わしており、ターゲット基地局２００ｂへは、端末２００への送信処理が行われていない「処理待ち」のＳＤＵを転送すればよい。図１０（Ｂ）の例では、シーケンス番号ＳＮ１〜ＳＮ６すべてについて再送が行われていないため、転送対象データ決定部２４３は、処理待ちの「ＳＤＵ−Ｂ」と「ＳＤＵ−Ｃ」を転送対象データとしている。再送が行われていない場合、基地局２００ａが端末１００に送信したデータは正しく端末１００において受信できたものとして、サービング基地局２００ａは端末１００に送信すべきメモリ部２３０に記憶されたデータを転送対象データとして決定する。
【００６７】
一方、サービング基地局２００ａは、再送状態として「再送あり」と判別したとき（Ｓ２１１で「再送あり」）、転送対象データを処理中のＳＤＵと処理待ちのＳＤＵとする（Ｓ２１３）。例えば、図１０（Ａ）の例では、転送対象データ決定部２４３は、処理中のＳＤＵである「ＳＤＵ−Ａ」と処理待ちのＳＤＵである「ＳＤＵ−Ｂ」と「ＳＤＵ−Ｃ」とを転送対象データとしている。再送が行われた場合、再送後のＳＤＵ内に含まれるすべてのＰＤＵについて端末１００が受信したとは限らない。このような場合、サービング基地局２００ａは送信処理中または再送処理中のＳＤＵも転送対象データとしている。
【００６８】
図８に戻り、サービング基地局２００ａは転送対象データを決定すると（Ｓ２１）、転送対象データをハンドオーバ先のターゲット基地局（ｅＮｏｄｅＢ−ｂ）２００ｂに送信する（Ｓ２２）。例えば、転送対象データ決定部２４３は決定した転送対象データの情報（例えばＳＤＵ−ＡやＳＤＵ−Ｂなど、ＳＤＵを識別する情報）をデータ転送処理部２４４に通知し、データ転送処理部２４４はメモリ部２３０から転送対象データを読み出す。上述したデータ転送回収（Ｓ２０）は、例えば、Ｓ２１の処理において行われてもよい。サービング基地局２００ａは、図１０（Ａ）の例（「再送あり」）では、「ＳＤＵ−Ａ」、「ＳＤＵ−Ｂ」、及び「ＳＤＵ−Ｃ」のデータをメモリ部２３０から読み出してターゲット基地局２００ｂに送信する。また、サービング基地局２００ａは、図１０（Ｂ）または図８の例（「再送なし」）では、「ＳＤＵ−Ｂ」と「ＳＤＵ―Ｃ」のデータをメモリ部２３０から読み出してターゲット基地局２００ｂに送信する。
【００６９】
次いで、端末１００は接続先を基地局２００ｂに切替えて、ターゲット基地局からサービング基地局となった基地局２００ｂは転送データを端末１００に送信する（Ｓ２３）。例えば、基地局２００ｂはハンドオーバ元の基地局２００ａから転送対象データを受信すると、対向ＥＮＢ  ＩＦ部２５０と呼制御部２４０を介してメモリ部２３０に転送対象データを記憶する。そして、無線送受信部２１０はメモリ部２３０から転送対象データを読み出して端末１００に無線送信する。図１０（Ａ）及び図１０（Ｂ）などの例の場合、基地局２００ｂは、例えば、「再送あり」としてＳＤＵ−Ａ〜ＳＤＵ−Ｃのデータが転送されたときは、ＳＤＵ−Ａのシーケンス番号ＳＮ１から順次、端末１００に無線送信する。一方、基地局２００ｂは、例えば、「再送なし」としてＳＤＵ−ＢとＳＤＵ−Ｃのデータが転送されたとき、ＳＤＵ−Ｂのシーケンス番号ＳＮ７から順次、端末１００に無線送信する。
【００７０】
このように第１の動作例においては、再送が行われたとき、例えばＳＤＵ−Ａに属するシーケンス番号ＳＮ１以降のデータがターゲット基地局２００ｂに転送されるため、端末１００はハンドオーバ後、基地局２００ｂからシーケンス番号ＳＮ１以降のデータを受信できる。従って、再送が行われた場合、再送対象のデータも転送されて、端末１００はハンドオーバ先の基地局２００ｂから再送対象のデータを受信できるため、ハンドオーバを行ってもデータの欠落が生じない。また、再送が行われなかった場合、処理待ちのシーケンス番号ＳＮ７以降のデータが転送され端末１００に送信されるため、例えばシーケンス番号ＳＮ４〜ＳＮ６が再度ハンドオーバ先の基地局２００ｂから送信されることがない。よって、基地局２００ｂからシーケンス番号ＳＮ４〜ＳＮ６のＰＤＵが重複して送信されることもないし、端末１００は基地局２００ｂから当該ＰＤＵを重複して受信することがない。
【００７１】
なお、第１の動作例において、サービング基地局２００ａは、転送対象データを決定してデータを転送するとき（Ｓ２２）、ＰＤＵのシーケンス番号を通知するようにしてもよい。図１１は、シーケンス番号を通知する場合のシーケンス例を表わす図である。通知されるＰＤＵのシーケンス番号（Ｓ２４）は、例えば、ハンドオーバ先の基地局２００ｂが送信を開始するＰＤＵのシーケンス番号を表わしている。
【００７２】
この場合、第１のデータ通信状況収集部２２１は、再送情報テーブル２３１に再送の有無と、Ａｃｋ信号対象のＰＤＵのシーケンス番号とを記憶する。そして、転送対象データ決定部２４３は、再送情報テーブル２３１から再送の有無とともに、ハンドオーバ決定前において最後に受信したＡｃｋ信号対象のＰＤＵのシーケンス番号を読み出し、このシーケンス番号の次のシーケンス番号を通知対象のシーケンス番号とする。
【００７３】
例えば、図１０（Ａ）の例（「再送あり」の例）では、ハンドオーバ決定前で最後にＡｃｋ信号を受信したＰＤＵのシーケンス番号がＳＮ０であるため、その次のシーケンス番号ＳＮ１を通知対象のシーケンス番号とする。
【００７４】
他方、「再送なし」の場合、転送対象データは処理待ちのＳＤＵのため、処理待ちのＳＤＵの中で最も早く端末１００に送信すべきＳＤＵを対象とし、当該対象となるＳＤＵに属する最初のシーケンス番号を通知対象のシーケンス番号とすればよい。例えば、図１０（Ｂ）の例では、ＳＤＵ−Ｂが転送対象データのうち最も早く端末１００に送信するＳＤＵであるため、ＳＤＵ−Ｂに属する先頭のＰＤＵのシーケンス番号ＳＮ７を通知対象のシーケンス番号とすればよい。各ＳＤＵに属するＰＤＵの各シーケンスは予め決められており、例えばメモリ部２３０などに保持されているため、転送対象データ決定部２４３はこれを用いてシーケンス番号を決定することができる。
【００７５】
このように、サービング基地局２００ａは、シーケンス番号をターゲット基地局２００ｂに通知することで、ハンドオーバ先の基地局２００ｂはシーケンス番号のＰＤＵを順に端末１００に送信することができる。そのため、基地局２００ｂや端末１００は、シーケンス番号の確認などにより、重複送信及び重複受信、データの欠落をさらに防止することができる。
【００７６】
＜第２の動作例＞
次に、第２の動作例として、近隣セルごとの再送発生率などのデータ通信状況に基づいて転送対象データを決定する場合の動作例について説明する。第２の動作例では、統計情報テーブル２３２が用いられる。図９（Ｂ）、図１２から図１４は本動作例におけるシーケンス例などの例を表わした図である。このうち、図１２は第２の動作例のシーケンス例を表わしており、図１２を用いて第２の動作例を説明する。
【００７７】
図１２に表わされるように、データの送信状況については上述した第１の動作例と同様である。すなわち、サービング基地局２００ａは、シーケンス番号ＳＮ１〜ＳＮ６のＰＤＵを端末１００に送信し、このうちシーケンス番号ＳＮ１〜ＳＮ３のＰＤＵについてはＡｃｋ信号を受信している。また、サービング基地局２００ａは、シーケンス番号ＳＮ４〜ＳＮ６については再送を行っていない状況である（Ｓ１０〜Ｓ１６）。さらに、サービング基地局２００ａは、呼ごとに再送状態を再送情報テーブル２３１に保持するものとする（Ｓ１８）。
【００７８】
また、第１の動作例と同様に、サービング基地局２００ａは端末１００についてハンドオーバすることを決定し（Ｓ１９）、データの回収を行う（Ｓ２０）。
【００７９】
次いで、サービング基地局２００ａは、近隣セルごとの再送状態と再送発生率とを統計情報テーブル２３２に記憶する（Ｓ３０）。例えば、第２のデータ通信状況収集部２４２が本処理を行う。
【００８０】
図１３（Ａ)は、統計情報テーブル２３２の例を表わす図である。統計情報テーブル２３２は、近隣のエリア（又はセル、以下「近隣セル」）ごとに、「ＲＬＣ手順の状態」（「再送あり」と「再送なし」）、「再送発生率」、及び「品質判定結果」の各項目を有する。
【００８１】
近隣セルの関係については、ターゲット基地局２００ａからハンドオーバにより移動可能な近隣基地局の有するセルが「近隣セル」として統計情報テーブル２３２に記憶される。図１４は、サービング基地局２００ａのセルＸに対して近隣セルの関係例を表わした図である。図１４に表わされるように、セルＸに対してセルＡ−１，Ｂ−１，Ｃ−１，Ｄ−１，Ｅ−１，Ｆ−１が近隣セルとなる。
【００８２】
「ＲＬＣ手順の状態」の項目には、例えば、近隣セルＡ−１〜Ｆ−１の各ターゲット基地局にハンドオーバするとき、再送の有無に応じた数字が記憶される。例えば、第２のデータ通信状況収集部２４２は、メモリ部２３０に記憶された再送情報テーブル２３１を参照してハンドオーバを行う端末に対して再送ありのフラグがオンになっているか否かを確認する。そして、第２のデータ通信状況収集部２４２は、再送ありのフラグがオンになっているとき、「ＲＬＣ手順の状態」における「再送あり」の項目に記憶された数値をカウントアップし、カウントアップした数値を記憶する。また、第２のデータ通信状況収集部２４２は、再送ありのフラグがオフになっているとき、「再送なし」の項目に記憶された数値をカウントアップし、カウントアップした数値を記憶する。図１３（Ａ）の例では、端末１００がセルＸのサービング基地局２００ａからセルＡ−１の基地局にハンドオーバするとき、監視期間内において基地局２００ａに対して再送が行われた回数は「０」回、再送が行われなかった回数は「５００」回であることを表わしている。例えば、端末１００がセルＸとセルＡ−１の境界付近に位置し、セルＸにおいて基地局２００ａと通信したときの再送状態が統計情報テーブル２３２に記憶される。
【００８３】
「再送発生率」の項目には、例えば、「ＲＬＣ手順の状態」に基づいて、近隣セルの基地局にハンドオーバするときにハンドオーバ元の基地局との間で行われた無線通信において再送が行われた割合が記憶される。計算では、「再送発生率」は、「再送あり」と「再送なし」の各カウント数を合計した合計回数のうち「再送あり」の回数の割り合いを表わした数値である。図１３（Ａ）の例では、近隣セルＡ−１に対しては「再送あり」の回数は「０」、「再送あり」と「再送なし」の回数の合計回数は「１００」であるため、「０％」が再送発生率となる。近隣セルＢ−１に対しては、「再送あり」の回数は「２５０」、合計回数は「５００」であるため、「５０％」が再送発生率となる。なお、「再送発生率」は、例えば、第２のデータ通信状況収集部２４２により「ＲＬＣ手順の状態」に記憶された各項目の数値を読み出して計算し、計算結果を「再送発生率」の項目に記憶させることで統計情報テーブル２３２に記憶される。
【００８４】
「品質判定」の項目には、例えば、再送発生率に基づいて判定された近隣セルＡ−１〜Ｆ−１に対する無線品質が記憶される。図１３（Ｂ）の例では、「再送発生率」が０％〜２０％の場合、無線品質は「良」、「再送発生率」が２０％〜１００％の場合、無線品質は「劣」と判定され、統計情報テーブル２３２の「品質判定」の項目に無線品質「良」または「劣」が記憶される。「再送発生率」に第３の閾値を設けて、「再送発生率」が第３の閾値以下のとき無線品質は「良」、「再送発生率」が第３の閾値より大きいとき無線品質は「劣」と判定される。図１３（Ｂ）の例では、第３の閾値を「２０％」としている。図１３（Ａ）と図１４の例では、例えば、端末１００がセルＡ−１の基地局にハンドオーバすることを決定してセルＸとセルＡ−１の境界付近におけるセルＸの範囲に位置するときの無線品質は、再送発生率が第３の閾値以下のため「良」と判定される。また、端末１００がセルＢ−１の基地局にハンドオーバすることを決定し、セルＸとセルＢ−１の境界付近におけるセルＸの範囲に位置するときの無線品質は、再送発生率が第３の閾値より大きいため「劣」と判定される。図１３（Ｂ）では第３の閾値を「２０％」としているが、種々の条件や基準などを考慮してそれ以外の値であってもよい。例えば、第２のデータ通信状況収集部２４２が統計情報テーブル２３２の「再送発生率」に記憶された値を読み出し、第３の閾値と比較してその大小により無線品質「良」または「劣」を「品質判定」の項目に記憶させるようにする。
【００８５】
このように統計情報テーブル２３２には、近隣セルごとにこれまで行われた再送の有無の回数が記憶され、近隣セルごとの再送の有無に関する統計情報が含まれており、この統計情報に基づいて無線品質が判別されている。
【００８６】
図１２に戻り、次いで、サービング基地局２００ａは無線品質状態に基づいて転送対象データを決定する（Ｓ３１）。転送対象データを決定するための転送対象データ決定処理は、例えば、図９（Ｂ）に表わされたフローチャートにより行われる。例えば、転送対象データ決定部２４３がメモリ部２３０に記憶された統計情報テーブル２３２を用いて転送対象データを決定する。
【００８７】
転送対象データ決定部２４３は、転送対象データ決定処理を開始すると（Ｓ３００）、ハンドオーバ先セルの無線品質を判定する（Ｓ３０１）。この判定は、転送対象データ決定部２４３が統計情報テーブル２３２の「品質判定」の項目に記憶された値（「良」または「劣」）を読みだして行われる。
【００８８】
そして、転送対象データ決定部２４３は、ハンドオーバ先の無線品質が「良」のとき（Ｓ３０１で「良」）、転送対象データを「処理待ちのＳＤＵ」とする（Ｓ３０２）。例えば、図１２の例において、サービング基地局２００ａは近隣セルＡ−１の基地局にハンドオーバすることを決定したとき、転送対象データ決定部２４３は、統計情報テーブル２３２に基づいて近隣セルＡ−１の「品質判定」を「良」と判定する。そして、転送対象データ決定部２４３は、処理待ちの「ＳＤＵ−Ｂ」と「ＳＤＵ−Ｃ」の各データを転送対象データとして決定する。
【００８９】
この場合、サービング基地局２００ａはシーケンス番号ＳＮ４〜ＳＮ６のＰＤＵに対するＡｃｋ信号は受信していない。しかし、サービング基地局２００ａは、セルＸからセルＡ−１に移動するときの無線品質は「良」と判定している。このような場合、転送対象データ決定部２４３は、シーケンス番号ＳＮ４〜ＳＮ６のＰＤＵについて端末１００で正しく受信できたものと判定して、シーケンス番号ＳＮ７から始まる「ＳＤＵ−Ｂ」とそれに続く「ＳＤＵ−Ｃ」を転送対象データとしている。
【００９０】
図９（Ｂ）に戻り、一方、転送対象データ決定部２４３は、ハンドオーバ先の無線品質を「劣」と判定したとき（Ｓ３０１で「劣」）、転送対象データを「処理中のＳＤＵと処理待ちのＳＤＵ」とする（Ｓ３０３）。例えば、図１２の例において、サービング基地局２００ａがハンドオーバ先としてセルＢ−１を有する基地局として決定したとき（Ｓ１９）、転送対象データ決定部２４３は、統計情報テーブル２３２に基づいて近隣セルＢ−１の「品質判定」を「劣」と判定する。そして、転送対象データ決定部２４３は、処理中の「ＳＤＵ−Ａ」と処理待ちの「ＳＤＵ−Ｂ」と「ＳＤＵ−Ｃ」の各データを転送対象データとして決定する。
【００９１】
この場合、サービング基地局２００ａはシーケンス番号ＳＮ４〜ＳＮ６のＰＤＵに対するＡｃｋ信号は受信していない。また、サービング基地局２００ａは、セルＸからセルＢ−１に移動するときの無線品質は「劣」と判定している。このような場合、転送対象データ決定部２４３は、シーケンス番号ＳＮ４〜ＳＮ６のＰＤＵについて端末１００で正しく受信できなかったものと判定して、シーケンス番号ＳＮ４〜ＳＮ６を含む「ＳＤＵ−Ａ」以降のＳＤＵを転送対象データとしている。
【００９２】
図１２に戻り、サービング基地局２００ａは決定した転送対象データをハンドオーバ先の基地局２００ｂに送信し（Ｓ２２）、ハンドオーバ先の基地局２００ｂは転送対象データを端末１００に送信する（Ｓ２３）。例えば、無線品質が「良」のとき（図９（Ｂ）のＳ３０１で「良」のとき）、サービング基地局２００ａは、処理待ちの「ＳＤＵ−Ｂ」と「ＳＤＵ−Ｃ」の各データをターゲット基地局２００ｂに転送する。そして、基地局２００ｂはシーケンス番号ＳＮ７のＰＤＵから順にデータを端末１００に無線送信する。一方、無線品質が「劣」のとき（図９（Ｂ）のＳ３０１で「劣」のとき）、サービング基地局２００ａは、処理中の「ＳＤＵ−Ａ」と処理待ちの「ＳＤＵ−Ｂ」と「ＳＤＵ-Ｃ」をターゲット基地局２００ｂに送信する。そして、基地局２００ｂはシーケンス番号ＳＮ１のＰＤＵから順にデータを端末１００に無線送信する（Ｓ２３）。
【００９３】
このように本動作例においては、サービング基地局２００ａは、近隣セルごとの再送の有無に関する統計情報に基づいて再送発生率を計算し、再送発生率に基づいて近隣セルごとの無線品質を判定している。そして、サービング基地局２００ａは、無線品質を「良」と判別したとき、処理中のデータについて端末１００において正しく受信できたものと判定して、処理待ちのデータを転送対象データとしている。従って、ハンドオーバ先の基地局２００ｂは処理中のデータを重複して送信することもないし、端末１００は受信した処理中のデータをハンドオーバ先の基地局２００ｂから重複して受信することもない。
【００９４】
他方、サービング基地局２００ａは、無線品質を「劣」と判別したとき、処理中のデータが端末１００において正しく受信できなかったものと判定して、処理中のデータと処理待ちのデータとを転送対象データとしている。従って、ハンドオーバ先の基地局２００ｂは、ハンドオーバ元の基地局２００ａにおいて処理中のデータを端末１００に送信しているため、端末１００はデータの欠落は生じないことになる。
【００９５】
上述した第１の動作例と同様に、サービング基地局２００ａは、送信開始を表わすＰＤＵのシーケンス番号をターゲット基地局２００ｂに通知するようにしてもよい。図１５はシーケンス番号を通知する場合の動作例を表わすシーケンス図である。この場合も、第１の動作例と同様に、例えば、第１のデータ通信状況収集部２２１が再送情報テーブル２３１に再送の有無と受信したＡｃｋ信号対象のＰＤＵのシーケンス番号とを記憶する。そして、転送対象データ決定部２４３は、再送情報テーブル２３１から、ハンドオーバ決定前において最後に受信したＡｃｋ信号対象のＰＤＵのシーケンス番号を読み出し、このシーケンス番号の次のシーケンス番号を通知対象のシーケンス番号としこれを通知する（Ｓ２４）。シーケンス番号を通知することにより、ハンドオーバ先の基地局２００ｂは通知されたシーケンス番号のＰＤＵを端末１００に送信することができ、重複送信、重複受信、及びデータの欠落を更に防止することができる。
【００９６】
＜第３の動作例＞
次に第３の動作例として、電波状況に基づいて転送対象データを決定する場合の例について説明する。図１６から図１９、及び図９（Ｂ）が本動作例におけるシーケンス図などの例を表わしている。
【００９７】
図１６は第３の動作例におけるシーケンス例を表わす図である。本第３の動作例においても、第１及び第２の動作例と同様に、サービング基地局２００ａは、シーケンス番号ＳＮ１〜ＳＮ３のＰＤＵに対するＡｃｋ信号を受信し、シーケンス番号ＳＮ４〜ＳＮ６のＰＤＵについては再送を行っていない状況である（Ｓ１０〜Ｓ１６）。
【００９８】
本第３の動作例においては、サービング基地局２００ａは、端末１００から受信した信号に基づいて、サービング基地局２００ａと端末１００間の無線品質を測定し、測定した無線品質を電波状況として電波状況テーブル２３３に記憶する（Ｓ３５）。例えば、無線電波状況通知部２１１は、端末１００から受信したＡｃｋ信号の受信電力や受信電力に対するノイズなどを無線品質として測定し、これを電波状況テーブル２３３に記憶する。或いは、無線電波状況通知部２１１は、端末１００において測定した無線品質を含む「Ｍｅａｓｕｒｅｍｅｎｔ  Ｒｅｐｏｒｔｓ」メッセージを受信したとき、当該メッセージに含まれる無線品質を抽出し、これを電波状況として電波状況テーブル２３３に記憶する。
【００９９】
図１７（Ａ）は電波状況テーブル２３３の例を表わす図である。電波状況テーブル２３３は、近隣セルごとに、「電波状況」と「品質判定」の各項目を有する。
【０１００】
近隣セルについては、例えば、図１８に表わされるように、サービング基地局２００ａのセルＸに端末１００が位置するとき、サービング基地局２００ａからハンドオーバ可能な基地局のセルＡ−１〜Ｆ−１が近隣セルとなる。
【０１０１】
「電波状況」の項目は、サービング基地局２００ａにより測定或いは抽出した無線品質が記憶される。例えば、図１７（Ａ）の例において、セル「Ａ−１」についての「電波状況」は、端末１００がセルＸとセルＡ−１の境界付近のセルＸに位置するときの端末１００とサービング基地局２００ａとの間の無線品質が記憶される。或いは、無線電波状況通知部２１１は、受信した「Ｍｅａｓｕｒｅｍｅｎｔ  Ｒｅｐｏｒｔｓ」メッセージに含まれる無線品質とセルＩＤとを抽出し、該当する「電波状況」の項目に抽出した無線品質を記憶する。
【０１０２】
「品質判定」の項目は、測定した無線品質が第４の閾値以上のときは「良」、第４の閾値より小さいときは「劣」が近隣セルごとに夫々記憶される。図１７（Ｂ）では第４の閾値として「２ｄＢ」としており、例えば、近隣セルＢ−１の電波状況は「１．５ｄＢ」であり、「２ｄＢ」より小さいため「劣」が記憶され、近隣セルＡ−１の電波状況は「２．５ｄＢ」であり、「２ｄＢ」より小さいため「良」が記憶されている。
【０１０３】
図１６に戻り、このように無線品質がサービング基地局２００ａの電波状況テーブル２３３に記憶される（Ｓ３５）。この場合、例えば第１の動作例と同様に、ハンドオーバ決定前の監視期間において測定または抽出した無線品質が記憶されてもよい。例えば、無線電波状況通知部２１１は、測定または抽出した無線品質をメモリ部２３０に記憶し、ハンドオーバ決定（Ｓ１９）前の監視期間分の無線品質をメモリ部２３０から読み出して、電波状況テーブル２３３に記憶するようにしてもよい。
【０１０４】
次いで、サービング基地局２００ａは、ハンドオーバを行うことを決定し（Ｓ１９）、データの回収を行い（Ｓ２０）、その後、転送対象データを決定する（Ｓ４０）。転送対象データ決定処理は、上述した第２の動作例と同様に、例えば図９（Ｂ）に表わされたフローチャートにより実施できる。
【０１０５】
転送対象データ決定部２４３は、転送対象データ決定処理を開始すると（Ｓ３００）、無線品質を判定する（Ｓ３０１）。例えば、転送対象データ決定部２４３は、電波状況テーブル２３３からハンドオーバ先となる基地局の有する「近隣セル」に対応する「品質判定」の項目に記憶された「良」又は「劣」に基づいて判別する（Ｓ３０１）。
【０１０６】
そして、転送対象データ決定部２４３は、ハンドオーバ先の無線品質が「良」のとき（Ｓ３０１で「良」のとき）、転送対象データを「処理待ちのＳＤＵ」とする（Ｓ３０２）。この場合は、上述した第２の動作例と同様に、無線品質が「良」であれば、サービング基地局２００ａはＡｃｋ信号の受信を確認しなくても送信した処理中のデータは端末１００において正しくに受信できたはずであり、その場合は、転送対象データを「処理待ちのＳＤＵ」とする。図１６及び図１７（Ａ）の例では、端末１００が近隣セル「Ａ−１」を有する基地局にハンドオーバするとき、サービング基地局２００ａはシーケンス番号ＳＮ４〜ＳＮ６についてはＡｃｋ信号を受信していない。しかし、サービング基地局２００ａは、近隣セル「Ａ−１」の無線品質が「良」のため、シーケンス番号ＳＮ７から始まる「ＳＤＵ−Ｂ」とそれに続く「ＳＤＵ−Ｃ」を転送対象データとしている。
【０１０７】
一方、転送対象データ決定部２４３は、ハンドオーバ先の無線品質が「劣」のとき（Ｓ３０２で「劣」のとき）、転送対象データを「処理中のＳＤＵと処理待ちのＳＤＵ」とする（Ｓ３０３）。この場合、上述した第２の動作例と同様に、無線品質が「劣」であれば、サービング基地局２００ａはＡｃｋ信号の受信を確認していなくても送信した処理中のデータを正しく受信できた可能性は無線品質が「良」の場合と比較して低い。その場合、転送対象データは、Ａｃｋ信号の受信を確認していないデータを含む「処理中のＳＤＵ」とそれに続く「処理待ちのＳＤＵ」となる。図１６及び図１７（Ａ）の例では、端末１００が近隣セル「Ｂ−１」を有する基地局にハンドオーバするとき、サービング基地局２００ａは、近隣セル「Ｂ−１」の無線品質が「劣」のため、「処理中のＳＤＵ−Ａ」と「処理待ちのＳＤＵ」とを転送対象データとしている。
【０１０８】
サービング基地局２００ａは転送対象データを決定すると（Ｓ４０）、データをハンドオーバ先のターゲット基地局２００ｂに送信する（Ｓ２２）。サービング基地局２００ａは、無線品質が「良」のとき「処理待ちのＳＤＵ」を転送し、無線品質が「劣」のとき「処理中のＳＤＵと処理待ちのＳＤＵ」を転送する。
【０１０９】
そして、ハンドオーバ先の基地局２００ｂは転送されたデータを端末１００に送信する（Ｓ２３）。
【０１１０】
このように本第３の動作例において、サービング基地局２００ａは、近隣セルごとの電波状況に基づいて、近隣セルごとの無線品質を判定している。そして、第２の動作例と同様に基地局２００ａは、無線品質を「良」と判別したとき、処理中のデータが端末１００において正しく受信できたものと判定して、処理待ちのデータを転送対象データとしている。従って、ハンドオーバ先の基地局２００ｂは処理中のデータを重複して送信することもないし、端末１００は受信した処理中のデータをハンドオーバ先の基地局２００ｂから重複して受信することもない。
【０１１１】
また、サービング基地局２００ａは、無線品質を「劣」と判別したとき、処理中のデータが端末１００において正しく受信できなかったものと判定して、処理中のデータと処理待ちのデータとを転送対象データとしている。従って、ハンドオーバ先の基地局２００ｂは、ハンドオーバ元の基地局２００ａで処理中のデータを端末１００に送信できるため、端末１００はデータの欠落は生じないことになる。
【０１１２】
第３の動作例においても、第１及び第２の動作例と同様に、サービング基地局２００ａは、送信開始を表わすＰＤＵのシーケンス番号を通知するようにしてもよい。図１９はシーケンス番号を通知する場合の動作例を表わすシーケンス図である。この場合も、第１及び第２の動作例と同様に、第１のデータ通信状況収集部２２１が、再送情報テーブル２３１に再送の有無と、受信したＡｃｋ信号対象のＰＤＵのシーケンス番号とを記憶する。そして、転送対象データ決定部２４３は、再送情報テーブル２３１から、ハンドオーバ決定前において最後に受信したＡｃｋ信号対象のＰＤＵのシーケンス番号を読み出し、このシーケンス番号の次のシーケンス番号を通知対象のシーケンス番号としこれを通知すればよい（Ｓ２４）。シーケンス番号を通知することにより、ハンドオーバ先の基地局２００ｂは通知されたシーケンス番号のＰＤＵを端末１００に送信することができ、重複送信、重複受信、及びデータの欠落をさらに防止することができる。
【０１１３】
＜第４の動作例＞
次に第４の動作例、すなわち、第１〜第３の動作例の組み合わせについて説明する。第４の動作例は、呼ごとの再送状態（第１の動作例）と無線品質の状態（第２または第３の動作例）との組み合わせにより転送対象データを決定する方法である。このような組み合わせの場合、２つの動作例が考えられる。１つ目は、第１の動作例（呼ごとの再送状態）と第２の動作例（再送発生率による無線品質状態）とを組み合わせて転送対象データを決定する動作例である。２つ目は、第１の動作例（呼ごとの再送状態）と第３の動作例（電波状況による無線品質状態）とを組み合わせて転送対象データを決定する動作例である。最初に前者について説明し、次に後者について説明することにする。
【０１１４】
＜１．第１の動作例と第２の動作例の組み合わせ＞
最初に第１と第２の各動作例を組み合わせた例について説明する。図２０〜図２４は本動作例のシーケンス図やフローチャートなどを表わす図である。第１及び第２の動作例と同一の処理が行われる部分については同一の符号が付されている。
【０１１５】
このうち図２０は本動作例のシーケンス図である。図２０を用いて本動作例を説明する。本動作例は、第１〜第３の動作例と同様に、サービング基地局２００ａはＳＤＵ−Ａに含まれるシーケンス番号ＳＮ１〜ＳＮ６のＰＤＵを端末１００に送信し、端末１００からシーケンス番号ＳＮ１〜ＳＮ３のＰＤＵに対するＡｃｋ信号を受信する（Ｓ１０〜Ｓ１６）。
【０１１６】
そして、サービング基地局２００ａは、第１の動作例と同様に、呼ごとの再送状態を再送情報テーブル２３１に保持する（Ｓ１８）。例えば、第１のデータ通信状況収集部２２１は、図６に示すように、再送情報テーブル２３１に端末１００ごとの再送の有無を記憶する。
【０１１７】
次いで、サービング基地局２００ａは、ハンドオーバの決定とデータの回収とを行う（Ｓ１９，Ｓ２０）。
【０１１８】
次いで、サービング基地局２００ａは、第２の動作例と同様に、近隣セルごとに再送状態と再送発生率とを統計情報テーブル２３２に記憶する（Ｓ３０）。例えば、第２のデータ通信状況収集部２４２は、図１３に示すように、呼ごとの再送状態に基づいて統計情報テーブル２３２の「再送あり」または「再送なし」の項目に再送回数または再送無しの回数を記憶する。そして、第２のデータ通信状況収集部２４２は、記憶された回数から再送発生率を計算して「再送発生率」の項目に記憶する。さらに、第２のデータ通信状況収集部２４２は、第３の閾値と再送発生率とを比較して、統計情報テーブル２３２の「品質判定」に無線品質を表わす「良」または「劣」を記憶する。
【０１１９】
次いで、サービング基地局２００ａは、呼ごとの再送状態と無線品質状態とに基づいて転送対象データを決定する（Ｓ５０）。例えば、転送対象データ決定部２４３は、メモリ部２３０に記憶した再送情報テーブル２３１と統計情報テーブル２３２とに基づいて、転送対象データを決定する。
【０１２０】
図２１は本動作例における転送対象データ決定処理の例を表わすフローチャートである。転送対象データ決定部２４３は、処理を開始すると（Ｓ４００）、第１の動作例（Ｓ２１１）と同様に、再送情報テーブル２３１に基づいてハンドオーバを行うことを決定した端末１００について再送の有無を判別する（Ｓ４０１）。例えば、転送対象データ決定部２４３は、再送情報テーブル２３１の「再送の有無」の項目においてオン（「１」）になっているとき、「再送あり」、オフ（「０」）になっているとき「再送なし」と判別する。
【０１２１】
再送が行われていないとき（Ｓ４０１で「再送なし」のとき）、転送対象データ決定部２４３は、ハンドオーバ先セルの無線品質を判別する（Ｓ４０２）。第２の動作例（Ｓ３０１）と同様に、転送対象データ決定部２４３は、Ｓ３０により記憶された統計情報テーブル２３２に基づいて無線品質を判別する。すなわち、転送対象データ決定部２４３は、統計情報テーブル２３２の「品質判定」に「良」が記憶されているとき、無線品質は「良」と判定し、統計情報テーブル２３２の「品質判定」に「劣」が記憶されているとき、無線品質は「劣」と判定する。
【０１２２】
ハンドオーバ先セルの無線品質が「良」のとき（Ｓ４０２で「良」のとき）、転送対象データ決定部２４３は、処理中のデータの次に送信する予定の「処理待ちのＳＤＵ」を転送対象データとする（Ｓ４０３）。この場合は、処理中のデータについて再送が行われず（Ｓ４０１で「再送なし」）、ハンドオーバ先の無線品質が「良」（Ｓ４０２で「良」）であれば、たとえ端末１００からＡｃｋ信号を受信していなくても、処理中のデータは端末１００において正しく受信できたはずであると判定できる。かかる場合、サービング基地局２００ａは、処理中のデータの次に端末１００に送信する予定の「処理待ちのＳＤＵ」を転送対象データに決定している。
【０１２３】
一方、ハンドオーバ先セルの無線品質が「劣」のとき（Ｓ４０２で「劣」）、転送対象データ決定部２４３は、処理中のデータ（「処理中のＳＤＵ」）と処理中のデータの次に送信予定の「処理待ちのＳＤＵ」とを転送対象データとして決定する（Ｓ４０４）。この場合は、ハンドオーバ先の無線品質が「劣」であれば、端末１００からＡｃｋ信号を受信していないときでも、処理中のデータは端末１００において正しく受信した可能性は無線品質が「良」の場合と比較して低い。かかる場合、サービング基地局２００ａは、処理中のデータ（「処理中のＳＤＵ」）と「処理待ちのＳＤＵ」とを転送対象データに決定する。
【０１２４】
また、再送が行われたとき（Ｓ４０１で「再送あり」）、転送対象データ決定部２４３は、「処理中のＳＤＵ」と「処理待ちのＳＤＵ」とを転送対象データとして決定する（Ｓ４０４）。これは、例えば、再送が行われるような状況では、再送データに対するＡｃｋ信号をサービング基地局２００ａが受信しなくても、再送がおこなわれない状況と比較して、再度再送が行われる可能性が高い。よって、再送データに対するＡｃｋ信号の有無に拘わらず、再送が行われた場合、転送対象データは再送が行われた「処理中のＳＤＵ」としている。
【０１２５】
図２２は、図２０のようにシーケンス番号ＳＮ１〜ＳＮ６のＰＤＵが端末１００に送信され、シーケンス番号ＳＮ１〜ＳＮ３のＰＤＵについてＡｃｋ信号が送信された状況のときに、転送対象データがどのようなデータとなるかの例を表わした図である。再送がなく、無線品質が「良」のとき、「処理待ちのＳＤＵ」である「ＳＤＵ−Ｂ」と「ＳＤＵ−Ｃ」が転送対象データとなる。それ以外のときは、「ＳＤＵ−Ａ」〜「ＳＤＵ−Ｃ」が転送対象データとなる。
【０１２６】
図２０に戻り、サービング基地局２００ａは決定した転送対象データをハンドオーバ先の基地局２００ｂに転送し（Ｓ２２）、ハンドオーバ先の基地局２００ｂは転送されたデータを端末１００に送信する（Ｓ２３）。
【０１２７】
図２７は、図２０の状況において、再送が行われず無線品質が「良」である近隣セルの基地局にハンドオーバが行われるときのシーケンス例を表わす図である。この例では、転送データはシーケンス番号ＳＮ７以降のデータとなり、ハンドオーバ先の基地局２００ｂからシーケンス番号ＳＮ７以降のＰＤＵが送信されている。
【０１２８】
本動作例においても、第１から第３の動作例と同様に、サービング基地局２００ａはシーケンス番号をターゲット基地局２００ｂに送信するようにしてもよい。図２３はシーケンス番号の通知を含むシーケンス例を表わす図である。この例においても、例えば、第１のデータ通信状況収集部２２１が受信したＡｃｋ信号の対象となるＰＤＵのシーケンス番号を再送情報テーブル２３１に記憶するなどし、転送対象データ決定部２４３は決定した転送対象データと記憶されたシーケンス番号とから通知するシーケンス番号を決定すればよい。例えば、図２３のような状況において、転送対象データ決定部２４３は「処理中のＳＤＵと処理待ちのＳＤＵ」を転送対象データとして決定したとき、シーケンス番号「ＳＮ４」を通知すればよい。また、転送対象データ決定部２４３は「処理待ちＳＤＵ」を転送対象データとして決定したとき、シーケンス番号「ＳＮ７」を通知すればよい。
【０１２９】
図２４は、このような状況において通知するシーケンス番号の例を表わした図である。再送状態が再送「なし」で、無線品質が「良」のとき、通知するシーケンス番号は「処理待ち」のＳＤＵ−Ｂに属するＰＤＵの最初のシーケンス番号ＳＮ「７」である。再送状態が再送「なし」でも、無線品質が「劣」であれば、通知するシーケンス番号は、Ａｃｋ信号を受信していない最初のシーケンス番号ＳＮ「４」である。再送状態が「再送あり」のとき、無線品質に拘わらず、シーケンス番号ＳＮ「４」を通知するシーケンス番号としている。
【０１３０】
本動作例においても、結局、第１及び第２の動作例と同様に基地局２００ａは、再送が行われず、無線品質を「良」と判別したとき、処理中のデータについて端末１００において正しく受信できたものと判定して、処理待ちのデータを転送対象データとしている。従って、ハンドオーバ先の基地局２００ｂは処理中のデータを重複して送信することもないし、端末１００は受信した処理中のデータをハンドオーバ先の基地局２００ｂから重複して受信することもない。
【０１３１】
また、基地局２００ａは、再送が行われた場合や、再送が行われずに無線品質が「劣」の場合は、処理中のデータが端末１００において正しく受信できなかったものと判定して、処理中のデータと処理待ちのデータとを転送対象データとしている。従って、ハンドオーバ先の基地局２００ｂは、ハンドオーバ元の基地局２００ａで処理中のデータを端末１００に送信しているため、端末１００はデータの欠落は生じないことになる。
【０１３２】
＜２．第１の動作例と第３の動作例の組み合わせ＞
次に第４の動作例として、上述した第１の動作例と第３の動作例の組み合わせについて説明する。図２５は本動作例のシーケンス例、図２６はシーケンス番号を通知する場合のシーケンス例を夫々表わす図である。
【０１３３】
本動作例では、サービング基地局２００ａは、第１の動作例と同様に、例えば監視期間において呼ごとの再送状態を再送情報テーブル２３１（例えば図６）に保持する（Ｓ１８）。また、サービング基地局２００ａは、第３の動作例と同様に、例えば監視期間において電波状況を電波状況テーブル２３３（例えば図１７（Ａ））に保持する（Ｓ３５）。
【０１３４】
そして、サービング基地局２００ａは、ハンドオーバを決定し（Ｓ１９）、データの回収を行い（Ｓ２０）、再送情報テーブル２３１と電波状況テーブル２３３とに基づいて転送対象データを決定する（Ｓ６０）。転送対象データ決定処理は、例えば、上述した第１と第２の動作例の組み合わせで説明したものと同様に行われる。すなわち、図２１に表わすように、転送対象データ決定部２４３は、ハンドオーバを行う端末１００について再送が行われず（Ｓ４０１で「再送なし」）、ハンドオーバ先セルの無線品質が「良」のとき（Ｓ４０２で「良」）、転送対象データを「処理待ちのＳＤＵ」とする（Ｓ４０３）。一方、転送対象データ決定部２４３は、再送が行われたり（Ｓ４０１で「再送あり」）、または再送が行われなくても無線品質が「劣」のとき（Ｓ４０２で「劣」）、転送対象データを「処理中のＳＤＵと処理待ちのＳＤＵ」としている（Ｓ４０４）。転送対象データの決定は、電波状況テーブル２３３を用いて行われている点が、上述した第１と第２の動作例の組み合わせと異なる。シーケンス番号を通知する場合について、シーケンス例を図２６に表わされているが、どのシーケンス番号を通知するかは、上述した第１と第２の動作例の組み合わせと同様である。
【０１３５】
本動作例においても、結局、第１及び第３の動作例と同様に、基地局２００ａは、再送が行われず、無線品質を「良」と判別したとき、処理中のデータが端末１００において正しく受信できたものと判定して処理待ちのデータを転送対象データとしている。従って、ハンドオーバ先の基地局２００ｂは処理中のデータを重複して送信することもないし、端末１００は受信した処理中のデータをハンドオーバ先の基地局２００ｂから重複して受信することもない。
【０１３６】
また、基地局２００ａは、再送が行われなくても無線品質が「劣」のときや、再送が行われたとき、処理中のデータが端末１００において正しく受信できなかったものと判定して処理中のデータと処理待ちのデータとを転送対象データとしている。従って、ハンドオーバ先の基地局２００ｂは、ハンドオーバ元の基地局２００ａで処理中のデータを端末１００に送信しているため、端末１００はデータの欠落は生じないことになる。
【０１３７】
［第３の実施の形態］
次に第３の実施の形態について説明する。図２８は基地局２００と端末１００の他の構成例を表わした図である。
【０１３８】
基地局２００は、アンテナ２７１、ＤＳＰ（Digital Signal Processing）２７２、ＣＰＵ２７３、ＲＯＭ（Read Only Memory）２７４、ＲＡＭ（Random Access Memory）２７５、メモリ部２３０を備える。
【０１３９】
例えば、ＣＰＵ２７３とＲＯＭ２７４、及びＲＡＭ２７５との協調動作により、第２の実施の形態における基地局２００（例えば図３）の呼制御部２４０が機能することができる。また、例えば、ＣＰＵ２７３からＤＳＰ２７２に指示を与えてＤＳＰ２７２を動作させることで、第２の実施の形態における対応ＥＮＢ  ＩＦ部２５０が機能することができる。さらに、例えば、ＤＳＰ２７２とアンテナ２７１とが動作することで、第２の実施の形態における無線送受信部２１０が機能することができる。なお、第２の実施の形態におけるＲＬＣプロトコル制御部２２０は、ＣＰＵ２７３とＲＯＭ２７４、及びＲＡＭ２７５との協調動作により機能することもできるし、ＤＳＰ２７２の動作により機能することもできる。
【０１４０】
一方、端末１００は、アンテナ１７１、ＤＳＰ１７２、ＣＰＵ１７３、ＲＯＭ１７４、ＲＡＭ１７５、及びメモリ部１４０を備える。
【０１４１】
例えば、ＣＰＵ１７３とＲＯＭ１７４、及びＲＡＭ１７５の協調動作により、第２の実施の形態における端末１００（例えば図４）の呼制御部１２０が機能する。また、例えば、ＣＰＵ１７３がＤＳＰ１７２に指示を与えてＤＳＰ１７２とアンテナ１７１とを動作させることで、第２の実施の形態における無線送受信部１１０が機能することができる。なお、第２の実施の形態におけるＲＬＣプロトコル制御部１３０は、ＣＰＵ１７３とＲＯＭ１７４、及びＲＡＭ１７５の協調動作により機能することもできるし、ＤＳＰ１７２の動作により機能することもできる。
【０１４２】
よって、図２８に表わされた基地局２００と端末１００においても、第２の実施の形態と同様に上述した第１〜第４の各動作例を実現することができる。
【０１４３】
［第４の実施の形態］
次に第４の実施の形態について説明する。第２の実施の形態における第４の動作例として、第１の動作例と第２の動作例の組み合わせ（例えば図２０から図２４）と第１の動作例を第３の動作例の組み合わせ（例えば図２５及び図２６）の例を説明した。本第４の実施の形態では、第２の動作例と第３の動作例の組み合わせの動作例について説明する。図３１は第４の実施の形態におけるシーケンス例、図３２は第４の実施の形態における転送対象のＳＤＵの例をそれぞれ表わす図である。
【０１４４】
なお、基地局２００ａ，２００ｂと端末１００の各構成例は第２の実施の形態と同様である（例えば図３及び図４）。また、端末１００がサービング基地局２００ａからターゲット基地局２００ｂにハンドオーバを行う状況も第２の実施の形態と同様である。
【０１４５】
また、図３１において第２の実施の形態と同一の処理には同一の番号が付されている。図３１に表わされるように、サービング基地局２００ａは、データとして、ＳＤＵ−Ａ〜ＳＤＵ−Ｃをゲートウェイ３００から受信し、ＳＤＵ−Ａに含まれるシーケンス番号ＳＮ１〜Ｎ６のＰＤＵを端末１００に送信する。サービング基地局２００ａは、このうち、シーケンス番号ＳＮ１〜ＳＮ３のＰＤＵに対するＡｃｋ信号を受信し、シーケンス番号ＳＮ４〜ＳＮ６のＰＤＵに対するＡｃｋ信号を受信していない（Ｓ１１〜Ｓ１６）。  
【０１４６】
このような通信状況において、サービング基地局２００ａは、第２の実施の形態における第２の動作例と同様に、呼ごとの再送状態を再送情報テーブル２３１に保持する（Ｓ１８）。例えば、第１のデータ通信状況通収集部２２１が再送の有無を再送情報テーブル２３１に記憶する。
【０１４７】
また、サービング基地局２００ａは、第２の実施の形態における第３の動作例と同様に、無線品質を電波状況テーブル２３３に記憶する（Ｓ３５）。例えば、無線電波状況通知部２１１は、端末１００から受信したＭｅａｓｕｒｅｍｅｎｔ  Ｒｅｐｏｒｔに含まれる無線品質、或いは、端末１００から受信した無線信号に基づいて測定した無線品質を電波状況テーブル２３３に記憶する。例えば、無線電波状況通知部２１１は、電波状況テーブル２３３（例えば図１７（Ａ））の「電波状況」と「品質判定」の各項目に値などを記憶する。
【０１４８】
次いで、サービング基地局２００ａは、ハンドオーバを行うことを決定し（Ｓ１９）、データの転送を回収する（Ｓ２０）。そして、サービング基地局２００ａは近隣セルごとの再送状態と再送発生率とを統計情報テーブル２３２に記憶する（Ｓ３０）。例えば、第２のデータ通信状況収集部２４２が再送情報テーブル２３１に基づいて、統計情報テーブル２３２（例えば図１３（Ａ））の「ＲＬＣ手順の状態」（「再送あり」又は「再送なし」のカウント値）、「再送発生率」、及び「品質判定」の各項目に値などを記憶する。
【０１４９】
次いで、サービング基地局２００ａは、無線品質状態により転送対象データを判断する（Ｓ６５）。例えば、転送対象データ決定部２４３がメモリ部２３０に記憶された統計情報テーブル２３２と電波状況テーブル２３３に基づいて転送対象データを判断する。この場合、転送対象データ決定部２４３は、統計情報テーブル２３２の「品質判定」と電波状況テーブル２３３の「品質判定」の組み合わせにより判断する。
【０１５０】
図３２はこれらの組み合わせにより「無線品質」がどのように判断されるかの判断例を表わしている。例えば、統計情報テーブル２３２の「品質判定」（図３２では「再送発生率」）が「良」、かつ、電波状況テーブル２３３の「品質判定」（図３２では「電波状況」）が「良」のとき、転送対象データ決定部２４３は、無線品質について「良」と判断する。それ以外の組み合わせのとき、転送対象データ決定部２４３は、無線品質について「劣」と判断する。
【０１５１】
このような無線品質の判断結果が、例えば、第２の実施の形態と同様に転送対象データ決定処理（例えば図９（Ｂ））における「ハンドオーバ先セルの無線品質」（Ｓ３０１）に適用されることで、転送対象データが決定される。  
【０１５２】
例えば、図３１に示すような通信状況において、無線品質が「良」のとき（Ｓ３０１で「良」）、処理待ちのＳＤＵ−ＢとＳＤＵ−Ｃが転送対象データとされ、無線品質が「劣」のとき（Ｓ３０１で「劣」）、処理中のＳＤＵ−Ａと処理待ちのＳＤＵ−Ｂ，ＳＤＵ−Ｃが転送対象データとなる（例えば図３２）。
【０１５３】
このように、サービング基地局２００ａは、端末１００に送信したデータ（例えばシーケンス番号ＳＮ４〜ＳＮ６のＰＤＵ）についてＡｃｋ信号を受信していなくても、無線品質が良好のときは端末１００において当該データは受信されたものと判断している。このようなとき、サービング基地局２００ａは、「処理待ちのＳＤＵ」（例えばＳＤＵ−Ｂ以降）を転送対象データとしている。
【０１５４】
よって、サービング基地局２００ａは「処理中のＳＤＵ」をターゲット基地局２００ｂに送信することがないため、ターゲット基地局２００ｂは端末１００に処理中のデータを重複して送信することもなく、端末１００は処理中のデータを重複して受信することもなくなる。
【０１５５】
一方、サービング基地局２００ａは、端末１００に送信したデータについて、閾値時間内にＡｃｋ信号を受信していないとき（「再送発生率」が「劣」のとき）や、無線品質が閾値未満のとき（「電波状況」が「劣」のとき）、「処理中のＳＤＵ」と「処理待ちのＳＤＵ」とを転送対象データとしている。
【０１５６】
よって、サービング基地局２００ａは端末１００に対して処理中のデータを送信しているため、端末１００は正常に受信できなかったデータも受信することができ、データの欠落が生じないことになる。
【０１５７】
なお、例えば図３２に表わされるように、本第４の実施の形態では、統計情報テーブル２３２と電波状況テーブル２３３における「品質判定」がともに「良」のとき、全体の「品質判定」が「良」と判断するようにしている。したがって、全体の「品質判定」が「良」となるときの信頼性は、第２の実施の形態における第２の動作例又は第３の動作例における場合よりも高くすることができる。
【０１５８】
図３１において、転送対象データ決定（Ｓ６５）以降の処理は第２の実施の形態と同一の処理が行われる（Ｓ２２，Ｓ２３）。この場合、サービング基地局２００ａは、ターゲット基地局２００ｂが送信を開始するＰＤＵのシーケンス番号を通知するようにしてもよい（Ｓ２４）。
【０１５９】
［第５の実施の形態］
次に第５の実施の形態について説明する。第２から第４の実施の形態では、サービング基地局２００ａはＳＤＵに含まれるＰＤＵをすべて送信した後でハンドオーバを決定する例について説明した。本第５の実施の形態では、サービング基地局２００ａは、ＳＤＵに含まれるすべてのＰＤＵを送信する前にハンドオーバの決定を行い、そのため、送信待ちのＰＤＵ（又は未送信のＰＤＵ）がある場合の例である。
【０１６０】
図３３は第５の実施の形態におけるシーケンス例を表わし、その詳細は後述するが、例えば以下のような通信状況を考える。すなわち、サービング基地局２００ａは端末１００宛てのデータとしてゲートウェイからＳＤＵ−Ａ〜ＳＤＵ−Ｃを受信する。そして、サービング基地局２００ａはＳＤＵ−Ａに含まれるシーケンス番号ＳＮ１〜ＳＮ４のＰＤＵを端末１００に送信し（Ｓ１１〜Ｓ７３）、その後ハンドオーバを行うことを決定する（Ｓ１９）。この場合、ＳＤＵ−Ａに含まれるシーケンス番号ＳＮ５〜ＳＮ６のＰＤＵは送信待ち（又は未送信）となる。なお、ＳＤＵやＰＤＵの構成例は第２の実施の形態などと同一である。
【０１６１】
このとき、サービング基地局２００ａは、送信可否決定（Ｓ７６）により送信できると判定したとき、送信待ちのシーケンス番号ＳＮ５〜ＳＮ６を端末１００に送信する（Ｓ７７）。この場合、サービング基地局２００ａは、シーケンス番号ＳＮ７以降のＳＤＵ−Ｂ、ＳＤＵ−Ｃを転送対象データとしてターゲット基地局２００ｂに転送している（Ｓ２２）。
【０１６２】
このように、本第５の実施の形態におけるサービング基地局２００ａは、送信待ちのデータ（例えば未送信のデータ）がある場合において送信できる状態のとき、送信待ちのデータを端末１００に送信し、送信待ちのデータをターゲット基地局２００ｂに転送しないようにしている。
【０１６３】
よって、ターゲット基地局２００ｂから端末１００に送信待ちのデータ（例えばシーケンス番号ＳＮ５〜ＳＮ６のＰＤＵ）が送信されることがなく、ターゲット基地局２００ｂは送信待ちのデータをサービング基地局２００ａと重複して端末１００に送信することがなくなる。また、この場合、端末１００は、２つの基地局２００ａ，２００ｂから送信待ちのデータ（例えばシーケンス番号ＳＮ５〜ＳＮ６）を受信することがなくなり、重複受信することがない。
【０１６４】
さらに、送信待ちのデータ（例えばシーケンス番号ＳＮ５〜ＳＮ６）はサービング基地局２００ａから送信されるため（例えばＳ７７）、送信待ちのデータが送信されずにデータの欠落が生じる事態が回避されることができる。
【０１６５】
以下、詳細に説明する。図３３から図４４は本第５の実施の形態における動作例などを表わす図である。なお、無線通信システム１０、サービング基地局２００ａ、ターゲット基地局２００ｂ、端末１００の各構成例は第２から第４の実施の形態と同一である（例えば、図２〜図４など）。
【０１６６】
また、ＳＤＵやＰＤＵなどの構成例についても第２から第４の実施の形態と同様に、例えば、ＳＤＵ−Ａにはシーケンス番号ＳＮ１〜ＳＮ６までのＰＤＵが含まれる。さらに、ＳＤＵ−Ｂにはシーケンス番号ＳＮ７〜ＳＮ１２までのＰＤＵが含まれ、ＳＤＵ−Ｃにはシーケンス番号ＳＮ１３〜ＳＮ１８までのＰＤＵが含まれる。
【０１６７】
本第５の実施の形態における動作例についても、第２の実施の形態と同様に以下の４つのパターンがある。
【０１６８】
１）呼ごとに保持した再送状態に基づいて転送対象データを決定する場合、
２）近隣セルごとに保持した再送発生率などのデータ通信状況に基づいて転送対象データを決定する場合、
３）サービング基地局２００ａと端末１００との間の無線電波状況に基づいて転送対象データを決定する場合、
４）上記１）から３）の組み合わせ。
【０１６９】
以下において、第２の実施の形態と同様に４つの動作例（第１〜第４の動作例）についてそれぞれ説明する。
【０１７０】
＜第１の動作例＞
第５の実施の形態における第１の動作例として、送信待ちのデータがあるときにハンドオーバの決定がなされ、さらに、再送状態に基づいて転送対象データが決定される場合の例である。図３３は本第１の動作例におけるシーケンス例、図３４は本第１の動作例における再送情報テーブル２３１の例、図３５は本第１の動作例における送信可否決定処理の例をそれぞれ表わしている。また、図３６（Ａ）及び図３６（Ｂ）は本第１の動作例におけるシーケンス例、図３７は第１の動作例における転送対象データ決定処理の例をそれぞれ表わしている。なお、図３３などにおいて、第２の実施の形態における第１の動作例などと同一の処理については同一の符号が付されている。
【０１７１】
通信状況としては、上述したように、例えば以下のような状況を考える。すなわち、サービング基地局２００ａはＳＤＵ−Ａ〜ＳＤＵ−Ｃまでのデータをゲートウェイ３００から受信し、ＳＤＵ−Ａに含まれるシーケンス番号ＳＮ１からＳＮ４までのデータを端末１００に送信している（Ｓ１１〜Ｓ７３）。サービング基地局２００ａは、そのうち、シーケンス番号ＳＮ１，ＳＮ２のＰＤＵについてＡｃｋ信号を端末１００から受信し、シーケンス番号ＳＮ３，ＳＮ４のＰＤＵについてはＡｃｋ信号を受信していない。そして、サービング基地局２００ａは、端末１００についてハンドオーバを行うことを決定し（Ｓ１９）、シーケンス番号ＳＮ５，ＳＮ６のＰＤＵについては送信待ちの状態となっている。
【０１７２】
このような通信状況において、サービング基地局２００ａは、呼ごとの再送状態と送信時間を再送情報テーブル２３１に保持する（Ｓ７５）。例えば、第１のデータ通信状況収集部２２１が呼ごと（例えば端末１００ごと）の再送の有無を検出し、また、呼ごとの送信時間を検出する。  
【０１７３】
例えば、第１のデータ通信状況収集部２２１は、無線送受信部２１０から送信されたＰＤＵの送信間隔を測定することで送信時間を検出することができる。図３３の例では、第１のデータ通信状況収集部２２１はシーケンス番号ＳＮ１のＰＤＵを送信後、シーケンス番号ＳＮ２のＰＤＵを送信するまでにかかる時間を測定することで送信時間を測定できる。送信時間の測定については、例えば、第１のデータ通信状況収集部２２１は複数のＰＤＵの送信時間から平均時間を測定することで送信時間を測定することもできるし、１つのＰＤＵを送信する時間が最も長い時間や最も短い時間を送信時間とすることもできる。
【０１７４】
図３４は第５の実施の形態における再送情報テーブル２３１の例を表わす図である。図３４の再送情報テーブル２３１の例は、送信時間として「平均時間」の項目があり、第１のデータ通信状況収集部２２１が「平均時間」の項目に値を記憶する。
【０１７５】
図３３に戻り、サービング基地局２００ａは、ハンドオーバを行うことを決定した後（Ｓ１９）、送信可否の決定を行う（Ｓ７６）。サービング基地局２００ａは、例えば、送信可否決定処理を行うことで、送信待ちのシーケンス番号ＳＮ５，ＳＮ６のＰＤＵを送信できるか否かを判定する。
【０１７６】
図３５は送信可否決定処理の例を表わすフローチャートである。送信可否決定処理は、例えば転送対象データ決定部２４３又はハンドオーバ決定部２４１で行われる。
【０１７７】
サービング基地局２００ａは、送信可否決定処理を開始すると（Ｓ７６０）、送信予測時間は最大保留可能時間よりも長いか否かを判別する（Ｓ７６１）。ここで送信予測時間と最大保留可能時間について説明する。
【０１７８】
図３６（Ａ）及び図３６（Ｂ）は、送信予測時間と最大保留可能時間の例をそれぞれ説明するための図である。
【０１７９】
送信予測時間とは、例えば、送信待ちのＰＤＵがどれくらいあるかに基づく時間であり、ハンドオーバ決定（Ｓ１９）後、送信待ちの最後のＰＤＵを送信し終えるまでのかかる時間である。例えば、送信予測時間は、図３６（Ａ）及び図３６（Ｂ）の例では、ハンドオーバ決定（Ｓ１９）後、送信待ちの最後のＰＤＵであるシーケンス番号ＳＮ６のＰＤＵを送信し終えるまでの時間（＊１）である。
【０１８０】
一方、最大保留可能時間とは、例えば、ハンドオーバ決定（Ｓ１９）後、ハンドオーバが確定する（Ｓ７８）までの時間である。ハンドオーバの確定（Ｓ７８）とは、例えば、ハンドオーバの決定によりハンドオーバ先が決定され、当該ハンドオーバ先の基地局２００ｂにハンドオーバ要求を通知する直前の状態のことである。よって、最大保留可能時間とは、例えば、ハンドオーバ決定（Ｓ１９）後、ハンドオーバ要求を送信する直前（Ｓ７８）までの時間（＊２）でもある。
【０１８１】
送信予測時間は、例えば、送信待ちのＰＤＵの個数や１つのＰＤＵを送信する送信時間に応じて変化する時間でもある。例えば、転送対象データ決定部２４３は、再送情報テーブル２３１（例えば図３４）の「平均時間」を読み出して送信待ちのＰＤＵの個数に乗算し、送信予測時間を計算することができる。
【０１８２】
一方、最大保留可能時間は、ハンドオーバ決定後からハンドオーバ要求の送信までは、例えば、予め決められた時間内において行われる処理である。例えば、メモリ部２３０には最大保留可能時間が記憶されて、転送対象データ決定部２４３はメモリ部２３０に記憶された最大保留時間を読み出すことができる。
【０１８３】
図３６（Ａ）に表わされるように、送信予測時間（＊１）が最大保留可能時間（＊２）未満のとき、この場合は送信待ちのシーケンス番号ＳＮ５，ＳＮ６を端末１００に送信するだけの時間がある。
【０１８４】
一方、図３６（Ｂ）に表わされるように、送信予測時間（＊１）が最大保留可能時間（＊２）以上となるとき、送信待ちのシーケンス番号ＳＮ６のＰＤＵは最大保留可能時間（＊２）を超えて送信されることになり、最大保留可能時間（＊２）内で送信することができない。
【０１８５】
よって、図３５に表わされるように、転送対象データ決定部２４３は、送信予測時間が最大保留可能時間未満のときは（Ｓ７６１でＹｅｓ）、送信待ちのＰＤＵを送信できるだけの時間があるため、送信待ちのＰＤＵを送信することを決定することができる（Ｓ７６２）。
【０１８６】
一方、転送対象データ決定部２４３は、送信予測時間が最大保留可能時間以上となるとき（Ｓ７６１でＮｏ）、送信待ちのＰＤＵを最大保留時間内で送信する時間がないため、送信待ちのＰＤＵを送信しないことを決定することができる（Ｓ７６４）。例えば、端末１００が未送信ＰＤＵを受信する前に、ハンドオーバ元の基地局と端末１００が通信できなくなり、データの欠落が生じるのを回避することができる。
【０１８７】
転送対象データ決定部２４３は、送信するか否か（Ｓ７６２又はＳ７６４）を決定すると送信可否処理を終了する（Ｓ７６３）。
【０１８８】
以上により送信可否決定（Ｓ７６）が行われ、例えば、送信待ちのＰＤＵについて送信可能か否かが判別される。
【０１８９】
図３３に戻り、サービング基地局２００ａは送信可否決定処理（Ｓ７６）を行うと、その決定に従って送信待ちのデータを端末１００に送信し、又は、送信待ちのデータを送信しないようにする。図３３の例では、送信待ちのシーケンス番号ＳＮ５，ＳＮ６のＰＤＵが送信されている（Ｓ７７）例が表わされている。
【０１９０】
次いで、サービング基地局２００ａはハンドオーバを確定し（Ｓ７８）、ハンドオーバ要求をターゲット基地局２００ｂに送信する（Ｓ７９）。例えば、ハンドオーバ決定部２４１はハンドオーバ決定（Ｓ１９）に従いハンドオーバ先の基地局２００ｂ（又はターゲット基地局２００ｂ）へのハンドオーバ要求を生成し、対向Ｅ−Ｎｏｄｅ  ＩＦ２５０を介してターゲット基地局２００ｂに送信することができる。
【０１９１】
次いで、サービング基地局２００ａはデータ転送回収を行い（Ｓ２０）、転送対象データを決定する（Ｓ８０）。
【０１９２】
図３７は転送対象データ決定処理の動作例を表わすフローチャートである。サービング基地局２００ａは転送対象データ決定処理を行うことで、転送対象データを決定することができる。
【０１９３】
転送対象データ決定部２４３は、転送対象データ決定処理を開始すると（Ｓ８００）、再送状態を判別する（Ｓ８０１）。
【０１９４】
例えば、転送対象データ決定部２４３は、再送情報テーブル２３１（例えば図３４）において、対象となる端末１００についての「再送の有無」の項目がオンになっているとき、端末１００について再送が行われたものとして「再送あり」と判別する。一方、転送対象データ決定部２４３は、対象となる端末１００についての「再送の有無」の項目がオフになっているとき、「再送なし」と判別する。
【０１９５】
転送対象データ決定部２４３は、ハンドオーバ対象の端末１００について「再送あり」と判別したとき（Ｓ８０１で「再送あり」）、転送対象データを「処理中のＳＤＵ」と「処理待ちのＳＤＵ」とする（Ｓ８０４）。
【０１９６】
例えば、図３３の通信状況の例においてシーケンス番号ＳＮ３，ＳＮ４のＰＤＵについてサービング基地局２００ａが再送を行ったときは再度再送を行う場合もある。このような場合はシーケンス番号ＳＮ３，ＳＮ４のＰＤＵを含むＳＤＵ−Ａ、さらに処理待ちのＳＤＵ−Ｂ，ＳＤＵ−Ｃを転送対象データとしている。
【０１９７】
一方、転送対象データ決定部２４３は、再送状態について「再送なし」と判別したとき（Ｓ８０１で「再送なし」）、送信予測時間が最大保留可能時間未満となるか否かを判別する（Ｓ８０２）。この判別は送信可否決定処理（Ｓ７６）におけるＳ７６１と同一の処理であり、例えば、送信待ちのＰＤＵが全て送信できる程度の時間があるか否か（例えば図３６（Ａ））、或いは、送信待ちのＰＤＵがＳ７６１の判別により全て送信されたか否かを判別している。
【０１９８】
従って、転送対象データ決定部２４３は、送信予測時間が最大保留可能時間未満のとき（Ｓ８０２でＹｅｓ）、送信待ちのＰＤＵは全て送信できる程度の時間がある、或いは送信待ちのＰＤＵを全て送信した、と判別して、転送対象データを「処理待ちのＳＤＵ」とする（Ｓ８０３）。
【０１９９】
例えば、送信待ちのシーケンス番号ＳＮ５，ＳＮ６のＰＤＵが送信可否決定処理（Ｓ７６）により端末１００に送信され（Ｓ７７）、かつ、最大予測時間が最大保留可能時間未満であるとき（Ｓ８０２でＹｅｓ）、ＳＤＵ−Ｂ，ＳＤＵ−Ｃが転送対象データとなる。
【０２００】
一方、転送対象データ決定部２４３は送信予測時間が最大保留可能時間以上となるとき（Ｓ８０２でＮｏ）、転送対象データを「処理中のＳＤＵ」と「処理待ちのＳＤＵ」とする（Ｓ８０４）。例えば、送信予測時間が最大保留可能時間以上のとき、送信待ちのＰＤＵは端末１００に送信されない（例えば図３６（Ｂ））。従って、例えばデータの欠落を防止するために、シーケンス番号ＳＮ５，６のＰＤＵを含むＳＤＵ−Ａと、処理待ちのＳＤＵ−Ｂ，ＳＤＵ−Ｃが転送対象データとなる。
【０２０１】
以上の転送対象データ決定処理（Ｓ８０）により、サービング基地局２００ａは転送対象データを決定する。図３３に戻り、サービング基地局２００ａは、転送対象データ決定処理の決定に従って転送対象データをターゲット基地局２００ｂに送信する（Ｓ２２）。
【０２０２】
このとき、サービング基地局２００ａは、第２の実施の形態と同様に、ターゲット基地局２００ｂが端末１００への送信を開始するＰＤＵのシーケンス番号を通知するようにしてもよい（Ｓ２４）。例えば、図３３の例では、サービング基地局２００ａはシーケンス番号ＳＮ７（Ｓ８０２でＹｅｓのとき）、又はシーケンス番号ＳＮ５（Ｓ８０２でＮｏのとき）を通知することができる。また、例えば、図３３の例においてシーケンス番号ＳＮ３，ＳＮ４について再送があったときは（Ｓ８０１でＹｅｓ）、サービング基地局２００ａはシーケンス番号ＳＮ３を通知することができる。シーケンス番号の通知により、第２の実施の形態における第１の動作例と同様に重複送信や重複受信、さらにデータの欠落などを更に防止できる。
【０２０３】
次いで、サービング基地局２００ａは下り方向（基地局２００ａ，２００ｂから端末１００への方向）のリソース割当て情報（ＤＬ  ａｌｌｏｃａｔｉｏｎ）を端末１００に送信する（Ｓ９０）。この割当て情報には、例えば、端末１００のハンドオーバ先であるターゲット基地局２００ｂの識別情報が含まれてもよい。
【０２０４】
そして、端末１００は、ターゲット基地局２００ｂと同期処理を行い（Ｓ９１）、ターゲット基地局２００ｂがサービング基地局となって転送対象データを受信することができる（Ｓ２３）。この場合、端末１００は、例えば、シーケンス番号の通知があったとき（Ｓ２４）は当該シーケンス番号のＰＤＵから受信することができ、シーケンス番号の通知がないときはＳＤＵに含まれるＰＤＵのうち、先頭のシーケンス番号のＰＤＵから受信することができる。
【０２０５】
＜第２の動作例＞
次に第２の動作例について説明する。第２の動作例は、例えば送信待ちのデータがあるときにハンドオーバの決定がなされ、再送発生率などに基づいて転送対象データが決定される場合の例である。図３８は本第２の動作例におけるシーケンス例を表わしている。また、図３９は本第２の動作例における転送対象データ決定処理の動作例を表わすフローチャートである。
【０２０６】
図３８に表わされるように、通信状況としては第１の動作例と同様に、サービング基地局２００ａはシーケンス番号ＳＮ１〜ＳＮ４のＰＤＵを端末１００に送信し、そのうちシーケンス番号ＳＮ１，ＳＮ２のＰＤＵに対するＡｃｋ信号を受信している（Ｓ１１〜Ｓ７３）。また、サービング基地局２００ａはシーケンス番号ＳＮ５，ＳＮ６の送信を行う前にハンドオーバの決定を行い（Ｓ１９）、そのため、シーケンス番号ＳＮ５，ＳＮ６のＰＤＵは送信待ちとなっている。
【０２０７】
このような通信状況において、サービング基地局２００ａは、第１の動作例と同様に、呼ごとの再送状態と送信時間を再送情報テーブル２３１に保持する（Ｓ７５）。例えば、第１のデータ通信状況収集部２２１は、ハンドオーバ決定前の監視期間において、呼ごと（例えば端末１００ごと）の再送の有無と送信時間を再送情報テーブル２３１（例えば図３４）に記憶する。
【０２０８】
次いで、サービング基地局２００ａは、ハンドオーバを行うことを決定し（Ｓ１９）、近隣セルごとの再送状態と再送発生率とを統計情報テーブル２３２に記憶する（Ｓ３０）。
【０２０９】
第２の実施の形態と同様に、例えば、第２のデータ通信状況収集部２４２は、再送情報テーブル２３１（例えば図３４）に基づいて、統計情報テーブル２３２（例えば図１３（Ａ））の「ＲＬＣ手順の状態」（「再送あり」または「再送なし」）のカウント値を書き込む。そして、第２のデータ通信状況収集部２４２は、カウント値に基づいて再送発生率を計算し、統計情報テーブル２３２の「再送発生率」の項目に計算値を記憶する。第２のデータ通信状況収集部２４２は、統計情報テーブル２３２の「再送発生率」に基づいて品質判定を行い、「良」又は「劣」を統計情報テーブル２３２の「品質判定」の項目に記憶する。
【０２１０】
次いで、サービング基地局２００ａは送信可否決定を行う（Ｓ７６）。送信可否決定の処理は、本第５の実施の形態における第１の動作例と同様である（例えば図３５）。例えば、転送対象データ決定部２４３は、送信予測時間が最大保留可能時間未満であれば（図３５のＳ７６１でＹｅｓ）、送信待ちのＰＤＵを端末１００に送信できることを決定する。一方、転送対象データ決定部２４３は、送信予測時間が最大保留可能時間以上となるとき（Ｓ７６１でＮｏ）、送信待ちのＰＤＵを送信しないことを決定する（Ｓ７６４）。
【０２１１】
図３８に戻り、サービング基地局２００ａは、送信可否決定において送信できると判別したときは、送信待ちのＰＤＵを端末１００に送信する（Ｓ７７）。
【０２１２】
次いで、サービング基地局２００ａはハンドオーバを確定し（Ｓ７８）、端末１００に対するハンドオーバ要求をターゲット基地局２００ｂに送信する（Ｓ７９）。ターゲット基地局２００ｂはハンドオーバ要求に対する応答をサービング基地局２００ａに送信することができる。
【０２１３】
次いで、サービング基地局２００ａはデータ転送の回収を行い（Ｓ２０）、無線品質状態に基づいて転送対象データを決定する（Ｓ８１）。
【０２１４】
図３９は、本第２の動作例における転送対象データ決定処理の動作例を表わすフローチャートである。例えば、転送対象データ決定部２４３がメモリ部２３０に記憶された統計情報テーブル２３２を用いて転送対象データを決定する。
【０２１５】
転送対象データ決定部２４３は、転送対象データ決定処理を開始すると（Ｓ８１０）、ハンドオーバ先セルの無線品質を判定する（Ｓ８１１）。転送対象データ決定部２４３は、統計情報テーブル２３２におけるターゲット基地局２００ｂについての「品質判定」を読み出して判定する。
【０２１６】
転送対象データ決定部２４３は、ターゲット基地局２００ｂの「品質判定」が「劣」（Ｓ８１１で「劣」）のとき、転送対象データを「処理中のＳＤＵ」と「処理待ちのＳＤＵ」とする（Ｓ８１４）。
【０２１７】
例えば、シーケンス番号ＳＮ３，ＳＮ４のＰＤＵについては端末１００からＡｃｋ信号の受信はないものの無線品質は「劣」のため、かかるシーケンス番号のＰＤＵは端末１００において正しく受信した可能性は、無線品質が「良」の場合と比較して低くなる。よって、このような場合、転送対象データ決定部２４３は転送対象データを「処理中のＳＤＵ」と「処理待ちのＳＤＵ」としている。
【０２１８】
一方、転送対象データ決定部２４３は、ターゲット基地局２００ｂの「品質判定」が「良」（Ｓ８１１で「良」）のとき、送信予測時間が最大保留可能時間未満か否かを判別する（Ｓ８１２）。
【０２１９】
この判別も第１の動作例における判別（例えば図３７のＳ８０２）と同様に、例えば、送信待ちのＰＤＵについて送信可能か否か（又は送信待ちのＰＤＵについて送信できたか否か）を判別している。本第２の動作例においても、送信可否決定（Ｓ７６）において送信待ちのＰＤＵが送信可能と判別されたとき、送信待ちのＰＤＵの送信が行われており（Ｓ７７）、送信待ちのＰＤＵの送信が行われたのであれば、かかるＰＤＵをターゲット基地局２００ｂへの転送しないことができる。
【０２２０】
よって、転送対象データ決定部２４３は、送信予測時間が最大保留可能時間未満のとき（Ｓ８１２でＹｅｓ）、転送対象データを「処理待ちのＳＤＵ」とする（Ｓ８１３）。例えば、送信待ちのシーケンス番号ＳＮ５，ＳＮ６のＰＤＵについて送信可能であれば（又は送信できたのであれば）、転送対象データ決定部２４３は「処理待ちのＳＤＵ」であるＳＤＵ−Ｂ，ＳＤＵ−Ｃを転送対象データとして判定することができる。
【０２２１】
一方、転送対象データ決定部２４３は、送信予測時間が最大保留可能時間以上となるとき（８１２でＮｏ）、転送対象データを「処理中のＳＤＵ」と「処理待ちのＳＤＵ」とする（Ｓ８１４）。例えば、処理待ちのシーケンス番号ＳＮ５，ＳＮ６のＰＤＵについて送信できないのであれば（又は送信しなかったのであれば）、転送対象データ決定部２４３は「処理中のＳＤＵ」であるＳＤＵ−Ａと、「処理待ちのＳＤＵ」であるＳＤＵ−Ｂ，ＳＤＵ−Ｃを転送対象データと判定する。以上よりサービング基地局２００ａは転送対象データを決定することができる。
【０２２２】
図３８に戻り、サービング基地局２００ａは、決定した転送対象データをターゲット基地局２００ｂに転送する（Ｓ２２）。この場合、第１の動作例と同様に、サービング基地局２００ａはターゲット基地局２００ｂから送信を開始するＰＤＵのシーケンス番号を通知するようにしてもよい（Ｓ２４）。
【０２２３】
次いで、サービング基地局２００ａは下り方向の割当て情報（ＤＬ  ａｌｌｏｃａｔｉｏｎ）を端末１００に送信し（Ｓ９０）、端末１００はハンドオーバ先であるターゲット基地局２００ｂと同期処理を行う（Ｓ９１）。そして、端末１００はサービング基地局となった基地局２００ｂから転送データを受信することができる（Ｓ２３）。
【０２２４】
＜第３の動作例＞
次に、本第５の実施の形態における第３の動作例について説明する。第３の動作例は、例えば、送信待ちのデータがあるときにハンドオーバの決定がなされ、さらに電波状況などに基づいて転送対象データが決定される場合の例である。例えば、図３９と図４０が本第３の動作例におけるシーケンス例などを表わしている。
【０２２５】
図４０は本第３の動作例におけるシーケンス例を表わす図である。本第３の動作例においても、サービング基地局２００ａはシーケンス番号ＳＮ１〜ＳＮ４のＰＤＵを端末１００に送信し、このうちシーケンス番号ＳＮ１，ＳＮ２のＰＤＵについてのＡｃｋ信号を受信している（Ｓ１１〜Ｓ７３）。また、サービング基地局２００ａはシーケンス番号ＳＮ５，ＳＮ６の送信を行う前にハンドオーバの決定を行い（Ｓ１９）、そのため、シーケンス番号ＳＮ５，ＳＮ６のＰＤＵは送信待ちとなっている。
【０２２６】
このような通信状況においてサービング基地局２００ａは一定期間の電波状況を保持する（Ｓ３５）。電波状況の保持は第２の実施の形態における第３の動作例と同様で、例えば、無線電波状況通知部２１１は端末１００から受信したＡｃｋ信号の受信電力や受信電力に対するノイズなどを無線品質として測定し、これを電波状況テーブル２３３に記憶する。図１７（Ａ）は電波状況テーブル２３３の例を表わしている。第２の実施の形態における第３の動作例と同様に、無線電波状況通知部２１１は無線品質の値を、電波状況テーブル２３３における「電波状況」の項目に記憶し、閾値判定などにより（例えば図１７（Ｂ））、「品質判定」の項目に「良」又は「劣」を記憶する。「電波状況」に記憶される値は、第２の実施の形態における第３の動作例と同様に複数測定したものの平均値でもよいし、最新の値が記憶されるようにしてもよいし、ある期間における最大値や最小値などでもよい。
【０２２７】
サービング基地局２００ａは、ハンドオーバ決定（Ｓ１９）後、送信可否決定を行う（Ｓ７６）。例えば、第１の動作例などと同様に、転送対象データ決定部２４３又はハンドオーバ決定部２４１は、図３５に示すフローチャートにおいて送信予測時間が最大保留可能時間未満か否か（Ｓ７６１）により、送信待ちのデータを送信できるか否かを判定する。
【０２２８】
図４０に戻り、サービング基地局２００ａは、送信可否決定（Ｓ７６）により送信待ちのＰＤＵについて送信できると判定したときは、送信待ちのＰＤＵを送信することができる（Ｓ７７）。図４０の例では、サービング基地局２００ａは、送信待ちのシーケンス番号ＳＮ５，ＳＮ６のＰＤＵを送信することができると判定して、当該ＰＤＵを送信している例を表わしている。一方、サービング基地局２００ａは、送信待ちのデータについて送信できないと判定したときは送信待ちのデータを送信することはしない。
【０２２９】
次いで、サービング基地局２００ａは、ハンドオーバを確定し（Ｓ７８）、ハンドオーバ要求をターゲット基地局２００ｂに送信する（Ｓ７９）。
【０２３０】
次いで、サービング基地局２００ａは、データ転送の回収を行い（Ｓ２０）、無線品質状態に基づいて転送対象データを決定する（Ｓ８２）。
【０２３１】
転送対象データ決定処理は、例えば、本第５の実施の形態における第２の動作例と同様に、図３９に表わされたフローチャートにより実施できる。例えば、転送対象データ決定部２４３がメモリ部２３０に記憶された電波状況テーブル２３３を用いて転送対象データを決定する。
【０２３２】
転送対象データ決定部２４３は、転送対象データ決定処理を開始すると（Ｓ８１０）、ハンドオーバ先セルの無線品質を判定する（Ｓ８１１）。転送対象データ決定部２４３は、例えば、第２の実施の形態における第３の動作例と同様に、電波状況テーブル２３３におけるターゲット基地局２００ｂについての「品質判定」を読み出して判定することができる。
【０２３３】
転送対象データ決定部２４３は、ハンドオーバ先セルの無線品質が「劣」（Ｓ８１１で「劣」）のとき、転送対象データを「処理中のＳＤＵ」と「処理待ちのＳＤＵ」とする（Ｓ８１４）。図３３の例では、無線品質が「劣」のとき、転送対象データとして「処理中のＳＤＵ」はＳＤＵ−Ａとなり、「処理待ちのＳＤＵ」はＳＤＵ−Ｂ、ＳＤＵ−Ｃとなる。
【０２３４】
一方、転送対象データ決定部２４３は、ハンドオーバ先セルの無線品質が「良」（Ｓ８１１で「良」）のとき、送信予測時間が最大保留可能時間未満か否かを判定する（Ｓ８１２）。第２の動作例と同様に、例えば、送信待ちのＰＤＵについて送信可能か否か（又は送信待ちのＰＤＵについて送信できたか否か）を判別している。本第３の動作例においても、送信可否決定（Ｓ７６）において送信待ちのＰＤＵが送信可能と判別されたとき、送信待ちのＰＤＵの送信が行われており（Ｓ７６）、送信待ちのＰＤＵの送信が行われたのであれば、かかるＰＤＵをターゲット基地局２００ｂへの転送しないようにすることができる。
【０２３５】
よって、転送対象データ決定部２４３は、送信予測時間が最大保留可能時間未満のとき（Ｓ８１２でＹｅｓ）、転送対象データを「処理待ちのＳＤＵ」とする（Ｓ８１３）。例えば、送信待ちのシーケンス番号ＳＮ５，ＳＮ６のＰＤＵについて送信可能であれば（又は送信できたのであれば）、転送対象データ決定部２４３は「処理待ちのＳＤＵ」であるＳＤＵ−Ｂ，ＳＤＵ−Ｃを転送対象データとして判定することができる。
【０２３６】
一方、転送対象データ決定部２４３は、送信予測時間が最大保留可能時間以上となるとき（８１２でＮｏ）、転送対象データを「処理中のＳＤＵ」と「処理待ちのＳＤＵ」とする（Ｓ８１４）。例えば、処理待ちのシーケンス番号ＳＮ５，ＳＮ６のＰＤＵについて送信できないのであれば（又は送信しなかったのであれば）、転送対象データ決定部２４３は「処理中のＳＤＵ」であるＳＤＵ−Ａと、「処理待ちのＳＤＵ」であるＳＤＵ−Ｂ，ＳＤＵ−Ｃを転送対象データと判定する。以上よりサービング基地局２００ａは転送対象データを決定することができる。
【０２３７】
図４０に戻り、サービング基地局２００ａは転送対象データをターゲット基地局２００ｂに転送する（Ｓ２２）。この場合、第１の動作例などと同様に、サービング基地局２００ａはターゲット基地局２００ｂにおいて送信を開始するＰＤＵのシーケンス番号を通知するようにしてもよい（Ｓ２４）。
【０２３８】
次いで、サービング基地局２００ａは下り方向の割当て情報（ＤＬ  ａｌｌｏｃａｔｉｏｎ）を端末１００に送信し（Ｓ９０）、端末１００はハンドオーバ先であるターゲット基地局２００ｂと同期処理を行う（Ｓ９１）。そして、端末１００はサービング基地局となった基地局２００ｂから転送データを受信することができる（Ｓ２３）。
【０２３９】
＜第４の動作例＞
次に第４の動作例、すなわち第１〜第３の動作例の組み合わせについて説明する。最初に第１の動作例（呼ごとの再送状態）と第２の動作例（再送発生率による無線品質）の組み合わせについて説明し、次に、第１の動作例と第３の動作例（電波状況による無線品質）の組み合わせについて説明し、最後に、第２の動作例と第３の動作例の組み合わせについて説明する。
【０２４０】
＜１．第１の動作例と第２の動作例の組み合わせ＞
最初に、本第５の実施の形態における第１の動作例と第２の動作例との組み合わせの例について説明する。図４１〜図４３は本動作例におけるシーケンス例などを表わす図である。第１の動作例や第２の動作例と同一の処理が行われる部分については同一の符号が付されている。
【０２４１】
このうち、図４１は本動作例におけるシーケンス例を表わす図である。通信状況は、第１の動作例などと同様に、サービング基地局２００ａはシーケンス番号ＳＮ１〜ＳＮ４のＰＤＵを端末１００に送信し、このうち、シーケンス番号ＳＮ１，ＳＮ２のＰＤＵに対するＡｃｋ信号を受信している。また、サービング基地局２００ａはシーケンス番号ＳＮ５，ＳＮ６の送信を行う前にハンドオーバの決定を行い（Ｓ１９）、そのため、シーケンス番号ＳＮ５，ＳＮ６のＰＤＵは送信待ちとなっている。
【０２４２】
このような通信状況において、サービング基地局２００ａは、第１の動作例と同様に、呼ごとの再送状態と送信時間を再送情報テーブル２３１（例えば図３４）に保持する（Ｓ７５）。例えば、第１のデータ通信状況収集部２２１が再送状態と送信時間を再送情報テーブル２３１に記憶する。
【０２４３】
そして、サービング基地局２００ａは、ハンドオーバを行うことを決定し（Ｓ１９）、第２の動作例と同様に、近隣セルごとの再送状態と再送発生率とを統計情報テーブル２３２に記憶する（Ｓ３０）。例えば、第２のデータ通信状況収集部２４２は、再送情報テーブル２３１に基づいて統計情報テーブル２３２（例えば図１３（Ａ））の各項目に値などを記憶する。
【０２４４】
次いで、サービング基地局２００ａは、送信待ちのＰＤＵについての送信可否を決定する（Ｓ７６）。例えば、第５の実施の形態における第１の動作例などと同様に、ハンドオーバ決定部２４１又は転送対象データ決定部２４３は、送信可否決定処理（例えば図３５）を行い、送信予測時間が最大保留可能時間未満か否か（例えば図３５のＳ７６１）を判別することで送信可否を決定する。
【０２４５】
サービング基地局２００ａは、送信可否決定（Ｓ７６）により送信待ちのＰＤＵについて送信できると判別したときは送信待ちのＰＤＵを送信する（Ｓ７７）。一方、サービング基地局２００ａは、送信可否決定（Ｓ７６）により送信待ちのＰＤＵについて送信できないと判別したときは送信しないことになる。
【０２４６】
次いで、サービング基地局２００ａは、ハンドオーバを確定し（Ｓ７８）、ハンドオーバ要求をターゲット基地局２００ｂに送信する（Ｓ７９）。
【０２４７】
次いで、サービング基地局２００ａは、データ転送の回収を行い（Ｓ２０）、無線品質状態に基づいて転送対象データを決定する（Ｓ８３）。
【０２４８】
図４２は、本動作例における転送対象データ決定処理の例を表わすフローチャートである。例えば、転送対象データ決定部２４３がメモリ部２３０に記憶された再送情報テーブル２３１（例えば図３４）と統計情報テーブル２３２（例えば図１３（Ａ））を用いて転送対象データを決定することができる。
【０２４９】
転送対象データ決定部２４３は、転送対象データ決定処理を開始すると（Ｓ８３０）、再送状態を判別する（Ｓ８３１）。例えば、本第５の実施の形態における第１の動作例と同様に、転送対象データ決定部２４３は再送情報テーブル２３１に記憶された再送の有無に基づいて判別することができる。
【０２５０】
転送対象データ決定部２４３は、ハンドオーバ対象の端末１００について「再送あり」と判別したとき（Ｓ８３１で「再送あり」）、転送対象データを「処理中のＳＤＵ」と「処理待ちのＳＤＵ」とする（Ｓ８３５）。例えば、図３３の例においてシーケンス番号ＳＮ３，ＳＮ４のＰＤＵについてサービング基地局２００ａが再送を行ったときは、当該シーケンス番号のＰＤＵを含むＳＤＵ−Ａを「処理中のＳＤＵ」、ＳＤＵ−Ｂ，ＳＤＵ−Ｃを「処理待ちのＳＤＵ」として転送対象データを判定することができる。
【０２５１】
一方、転送対象データ決定部２４３は、ハンドオーバ対象の端末１００について「再送なし」と判別したとき（Ｓ８３１で「再送なし」）、ハンドオーバ先エリアにおける無線品質を判別する（Ｓ８３２）。無線品質の判別は、例えば、転送対象データ決定部２４３が統計情報テーブル２３２におけるターゲット基地局２００ｂについての「品質判定」の項目を読み出して判定することができる。
【０２５２】
転送対象データ決定部２４３は、ハンドオーバ先エリアの無線品質が「劣」のとき（Ｓ８３２で「劣」のとき）、転送対象データを「処理中のＳＤＵ」と「処理待ちのＳＤＵ」とする（Ｓ８３５）。
【０２５３】
例えば、サービング基地局２００ａは、ＰＤＵについて再送を行っていないとき（Ｓ８３１で「再送なし」）でも、ターゲット基地局２００ｂに対する無線品質が「劣」のとき（Ｓ８３３で「劣」）、端末１００が処理中のＰＤＵを正しく受信した可能性は無線品質が「良」の場合と比較して低い。よって、このような場合、転送対象データ決定部２４３は転送対象データを「処理中のＳＤＵ」と「処理待ちのＳＤＵ」としている。
【０２５４】
一方、転送対象データ決定部２４３は、ハンドオーバ先エリアの無線品質が「良」のとき（Ｓ８３２で「良」のとき）、送信予測時間が最大保留可能時間未満か否かを判別する（Ｓ８３３）。この判別も第１の動作例などにおける判別（例えば図３７のＳ８０２）と同様に、例えば、送信待ちのＰＤＵについて送信可能か否か（又は送信待ちのＰＤＵについて送信できたか否か）を判別している。
【０２５５】
そして、転送対象データ決定部２４３は、送信予測時間が最大保留可能時間未満のとき（Ｓ８３３でＹｅｓ）、転送対象データを「処理待ちのＳＤＵ」とする（Ｓ８３４）。
【０２５６】
例えば、再送が行われず（Ｓ８３１で「再送なし」）、無線品質が「良」のとき（Ｓ８３２で「良」）、かつ、送信待ちのＰＤＵの送信ができるとき（又は送信したとき）（Ｓ８３３でＹｅｓ）は、端末１００において送信待ちＰＤＵを正しく受信した可能性は無線品質が「劣」の場合よりも高い。このような場合は、転送対象データ決定部２４３は、送信待ちのＰＤＵを含むＳＤＵ（又は「処理中のＳＤＵ」）を転送対象データに含めないようにすることができる。送信待ちのＰＤＵを含むＳＤＵを転送対象データに含めないことで、送信待ちのＰＤＵが送信された（Ｓ７６）にも拘わらず、ターゲット基地局２００ｂから端末１００に送信待ちのＰＤＵが送信される事態を防止することができ、重複送信や重複受信を防止することができる。図３３の例において、再送が行われず、ターゲット基地局２００ｂに対する無線品質が「良」で、かつ、送信待ちのシーケンス番号ＳＮ３，ＳＮ４のＰＤＵについて送信されたとき（Ｓ７７）、転送対象データは「処理待ちのＳＤＵ」であるＳＤＵ−Ｂ，ＳＤＵ−Ｃとなる。
【０２５７】
一方、転送対象データ決定部２４３は、送信予測時間が最大保留可能時間以上となるとき（Ｓ８３３でＮｏ）、転送対象データを「処理中のＳＤＵ」と「処理待ちのＳＤＵ」とする（Ｓ８３５）。
【０２５８】
例えば、再送が行われず（Ｓ８３１で「再送なし」）、無線品質が「良」のとき（Ｓ８３２で「良」）、かつ、送信待ちのＰＤＵの送信ができないとき（Ｓ８３３でＹｅｓ）は、サービング基地局２００ａから端末１００へ送信待ちＰＤＵの送信が行われていないことになる。このような場合、端末１００においてデータの欠落を防止するため、転送対象データ決定部２４３は、送信待ちのＰＤＵを含む「処理中のＳＤＵ」と、「処理待ちのＳＤＵ」を転送対象データとしている。
【０２５９】
以上により転送対象データ決定処理（図４１のＳ８３）が行われ、次いで、サービング基地局２００ａは転送対象データ決定処理で決定した転送対象データを転送する（Ｓ２２）。この場合、第１の動作例などと同様に、サービング基地局２００ａは送信を開始するＰＤＵのシーケンス番号を通知するようにしてもよい（Ｓ２４）。
【０２６０】
図４３は、図４１の例における転送対象データの例を表わす図である。図４３に表わされるように、再送状態が「再送なし」、無線品質が「良」、かつ、未送信ＰＤＵがないとき（送信待ちＰＤＵについて送信された（Ｓ７７）又は送信可能なとき）、シーケンス番号ＳＮ７が通知される。一方、再送状態が「再送なし」、無線品質が「良」、かつ、未送信ＰＤＵがあるとき（送信待ちＰＤＵについて送信されていない又は送信できないとき）、送信待ちのＰＤＵのシーケンス番号ＳＮ５が通知される。それ以外のときは、Ａｃｋ信号の受信が行われていない送信中のＰＤＵのシーケンス番号ＳＮ３が通知される。
【０２６１】
次いで、サービング基地局２００ａは下り方向の割当て情報（ＡＬ  ａｌｌｏｃａｔｉｏｎ）を端末１００に送信し（Ｓ９０）、端末１００はターゲット基地局２００ｂと同期処理を行い（Ｓ９１）、転送データを受信することができる（Ｓ２３）。
【０２６２】
＜２．第１の動作例と第３の動作例の組み合わせ＞
次に、第４の動作例として、第１の動作例（呼ごとの再送状態）と第３の動作例（電波状況による無線品質）を組み合わせた動作例について説明する。図４４は本動作例におけるシーケンス例を表わす図である。
【０２６３】
サービング基地局２００ａは、第１の動作例と同様に、呼ごとの再送状態と送信時間を再送情報テーブル２３１（例えば図３４）に保持する（Ｓ７５）。また、サービング基地局２００ａは、第３の動作例と同様に、無線電波状況を電波状況テーブル２３３（例えば図１７（Ａ））に保持する（Ｓ３５）。
【０２６４】
次いで、サービング基地局２００ａは、ハンドオーバを行うことを決定し（Ｓ１９）、送信可否決定を行う（Ｓ７６）。サービング基地局２００ａは、送信可否決定（Ｓ７６、例えば図３５）により、送信待ちのＰＤＵについて送信できると判定したときは送信待ちのＰＤＵを端末１００に送信することができる（Ｓ７７）。一方、サービング基地局２００ａは、送信可否決定（Ｓ７６）により、送信待ちのＰＤＵについて送信できないと判定したときは送信待ちのＰＤＵの送信は行わない。
【０２６５】
次いで、サービング基地局２００ａは、ハンドオーバを確定し（Ｓ７８）、ハンドオーバ要求をターゲット基地局２００ｂに送信する（Ｓ７９）。
【０２６６】
次いで、サービング基地局２００ａは、データ転送の回収を行い（Ｓ２０）、無線品質状態に基づいて転送対象データを決定する（Ｓ８４）。本動作例における転送対象データ決定処理は、例えば、第１の動作例と第２の動作例の組み合わせと同様に図４２により行うことができる。この場合、図４２におけるハンドオーバ先エリアの無線品質は、電波状況テーブル２３３の「無線品質」の項目に記憶された「良」又は「劣」により行われる。
【０２６７】
本動作例における転送対象データ決定処理も、再送状態が「再送なし」（Ｓ８３１で「再送なし」）、無線品質が「良」（Ｓ８３２で「良」）、かつ、送信待ちのＰＤＵの送信ができるとき（又は送信したとき）（Ｓ８３３でＹｅｓ）、「処理待ちのＳＤＵ」が転送対象データとなる（Ｓ８３４）。これにより、例えば、重複送信と重複受信を防止することができる。
【０２６８】
一方、再送状態、無線品質、及び送信待ちのＰＤＵの送信について、それ以外のとき（Ｓ８３１で「再送あり」、Ｓ８３２で「劣」、又はＳ８３３でＮｏ）は、「処理中のＳＤＵ」と「処理待ちのＳＤＵ」が転送対象データとなる（Ｓ８３５）。これにより、例えば、データの欠落を防止することができる。
【０２６９】
図４４に戻り、サービング基地局２００ａは、転送対象データ決定処理（Ｓ８４）において決定した転送対象データをターゲット基地局２００ｂに送信する（Ｓ２２）。この場合、サービング基地局２００ａはシーケンス番号を通知することもできる（Ｓ２４）。図４３は、第１の動作例と第２の動作例とを組み合わせた場合の例と同様に、本動作例における通知するシーケンス番号の例を表わしている。
【０２７０】
以降、サービング基地局２００ａは割当て情報（ＤＬ  ａｌｌｏｃａｔｉｏｎ）の送信（Ｓ９０）を行い、端末１００は同期処理を行い（Ｓ９１）、サービング基地局となった基地局２００ｂから転送対象データを受信することができる（Ｓ２３）。
【０２７１】
＜３．第２の動作例と第３の動作例の組み合わせ＞
次に、第２の動作例（再送発生率による無線品質）と第３の動作例（電波状況による無線品質）の組み合わせについて説明する。図４５及び図４６は本動作におけるシーケンス例をそれぞれ表わしている。
【０２７２】
サービング基地局２００ａは、第１又は第２の動作例と同様に、呼ごとの再送状態と送信時間を再送情報テーブル２３１（例えば図３４）に保持する（Ｓ７５）。また、サービング基地局２００ａは、第３の動作例と同様に、無線電波状況を電波状況テーブル２３３（例えば図１７（Ａ））に保持する（Ｓ３５）。
【０２７３】
サービング基地局２００ａは、ハンドオーバを行うことを決定すると（Ｓ１９）、第２の動作例と同様に、近隣セルごとの再送状態と再送発生率とを統計情報テーブル２３２に記憶する（Ｓ３０）。例えば、第２のデータ通信状況収集部２４２は、再送情報テーブル２３１に基づいて統計情報テーブル２３２（例えば図１３（Ａ））の各項目に値などを記憶する。
【０２７４】
次いで、サービング基地局２００ａは、送信待ちのＰＤＵについて送信可否を決定し（Ｓ７６）、送信可否決定（Ｓ７６）に従って送信待ちのＰＤＵについて送信できるときは送信を行い（Ｓ７７）、送信できないときは送信を行わないようにする。
【０２７５】
次いで、サービング基地局２００ａは、ハンドオーバを確定し（Ｓ７８）、ハンドオーバ要求をターゲット基地局２００ｂに送信する（Ｓ７９）。
【０２７６】
次いで、サービング基地局２００ａは、データ転送の回収を行い（Ｓ２０）、転送対象データを決定する（Ｓ８５）。本動作例における転送対象データ決定処理は、第４の実施の形態と同様に、例えば、統計情報テーブル２３２の「無線品質」と電波状況テーブル２３３の「無線品質」の２つの無線品質の組み合わせから最終的な「無線品質」を判別する（例えば図３２）。そして、判別した「無線品質」が転送対象データ決定処理（例えば図３９）における「ハンドオーバ先セルの無線品質」（図３９のＳ８１１）に適用されることで処理が行われる。
【０２７７】
例えば、図３２に表わされるように、統計情報テーブル２３２の「無線品質」（図３２では「再送発生率による無線品質」）が「良」、かつ、電波状況テーブル２３３の「無線品質」（図３２では「電波状況による無線品質」）が「良」のとき、最終的な無線品質は「良」とすることができる。この場合、転送対象データ決定処理（例えば図３９）においては、ハンドオーバ先セルの無線品質が「良」と判別される（Ｓ８１１で「良」）。一方、２つのテーブル２３２，２３３の「無線品質」がいずれも「良」でないときは、最終的な無線品質は「劣」と判別されて（例えば図３２）、ハンドオーバ先セルの無線品質は「劣」と判別される（Ｓ８１１で「劣」）。
【０２７８】
以降の動作例は、第５の実施の形態と同様に、転送対象データ決定処理（例えば図３９）により転送対象データが決定されることができる。
【０２７９】
図４５に戻り、サービング基地局２００ａは転送対象データを決定すると（Ｓ８５）、データの転送を行い（図４６のＳ２２）、シーケンス番号の通知も行うこともできる（Ｓ２４）。以降は第３の動作例などと同様に実施することができる。
【０２８０】
［第６の実施の形態］
次に第６の実施の形態について説明する。第５の実施の形態は、送信待ちのＰＤＵがある場合において、送信待ちのＰＤＵの送信後に転送対象データが決定される例について説明した。本第６の実施の形態では、先に転送対象データが決定され、その後、送信待ちのＰＤＵが送信される例について説明する。図４７から図５５は本第６の実施の形態におけるシーケンス例などをそれぞれ表わす図である。
【０２８１】
なお、無線通信システム１０、基地局２００ａ，２００ｂ、及び端末１００の各構成例は、第２の実施の形態などと同様であり、例えば図２〜図４にそれぞれ表わされている。また、通信状況やＳＤＵ、ＰＤＵの構成例なども第２の実施の形態と同様である。
【０２８２】
本第６の実施の形態における動作例についても、第２の実施の形態や第５の実施の形態と同様に以下の４つのパターンがある。
【０２８３】
１）呼ごとに保持した再送状態に基づいて転送対象データを決定する場合、
２）近隣セルごとに保持した再送発生率などのデータ通信状況に基づいて転送対象データを決定する場合、
３）サービング基地局２００ａと端末１００との間の無線電波状況に基づいて転送対象データを決定する場合、
４）上記１）から３）の組み合わせ。
【０２８４】
以下において、第２の実施の形態と同様に４つの動作例（第１〜第４の動作例）について順次説明する。
【０２８５】
＜第１の動作例＞
第１の動作例としては、送信待ちのデータがあるときにハンドオーバの決定がなされ、さらに、再送状態に基づいて転送対象データが決定される場合の例である。図４７は本第６の実施の形態における第１の動作例のシーケンス例を表わす図である。第５の実施の形態における第１の動作例などと同一の処理について同一の符号が付されている。
【０２８６】
本第６の実施の形態では、サービング基地局２００ａは送信可否決定を行い（Ｓ７６）、転送対象データを決定する（Ｓ８０）。例えば、サービング基地局２００ａは、送信可否決定処理と転送対象データ決定処理について第５の実施の形態と同一の処理（例えば、それぞれ図３５と図３７）を行うことができる。
【０２８７】
そして、サービング基地局２００ａは、転送対象データ決定処理（Ｓ８０）で決定した転送対象データを転送し（Ｓ２２）、その後、送信可否決定（Ｓ７６）により送信待ちのＰＤＵを送信することを決定したときは送信待ちのＰＤＵの送信を行う（Ｓ７７）。
【０２８８】
ここで、送信可否決定処理（Ｓ７６、例えば図３５）に関して、転送対象データ決定部２４３（又はハンドオーバ決定部２４１）は送信予測時間が最大保留可能時間未満か否かを判別しているが、最大保留可能時間については第５の実施の形態と異なるものとなる。例えば、図３６（Ａ）又は図３６（Ｂ）において、最大保留可能時間（＊２）はハンドオーバ決定（Ｓ１９）後、ハンドオーバを確定する（Ｓ７８）直前である点は第５の実施の形態と同様であるが、ハンドオーバの確定は下り方向の割当て情報の送信により確定する。下り方向の割当て情報には、例えば、ハンドオーバ先の基地局に関する識別情報などが含まれているため、本第６の実施の形態において、サービング基地局２００ａはこの割当て情報の送信によりハンドオーバを確定するようにしている。
【０２８９】
最大保留可能時間は、例えば、第２の実施の形態と同様に、メモリ部２３０などに記憶されて送信可否決定処理（Ｓ７６）や転送対象データ決定処理（Ｓ８０）などにおいて適宜読み出されることができる。
【０２９０】
また、送信予測時間（＊１）は、例えば、第５の実施の形態と同様に、ハンドオーバ決定後から送信待ちのＰＤＵを送信し終えるまでの時間であり、転送対象データ決定部２４３などにより送信待ちのＰＤＵの個数や送信時間に基づいて計算されることができる。
【０２９１】
送信可否決定処理（例えば図３５）は、最大保留可能時間が異なる時間となること以外は本第６の実施の形態においても第５の実施の形態と同様に実施することができる。また、転送対象データ決定処理（例えば図３７）も、最大保留可能時間が異なる時間となること以外は第５の実施の形態と同様に実施することができる。
【０２９２】
なお、転送対象データとしては、例えば、再送が発生したとき（図３７のＳ８０１で「再送あり」）はシーケンス番号ＳＮ３のＰＤＵを含むＳＤＵ−Ａとすることができる。また、再送が発生してないときでも送信待ちのデータを送信できないとき（図３７のＳ８０２でＮｏ）はシーケンス番号ＳＮ５のＰＤＵを含むＳＤＵ−Ａが転送対象データとすることができる。さらに、再送が発生していないときで送信待ちのデータを送信できるとき（図３７のＳ８０２でＹｅｓ）、シーケンス番号ＳＮ７のＰＤＵを含むＳＤＵ−Ｂが転送対象データとすることができる。サービング基地局２００ａは、このように判断されたシーケンス番号をターゲット基地局２００ｂに通知することもできる（Ｓ２４）。
【０２９３】
次いで、サービング基地局２００ａはハンドオーバを確定し（Ｓ７８）、下り方向の割当て方法を端末１００に送信する（Ｓ９０）。以降は第５の実施の形態と同様である。
【０２９４】
なお、本第１の動作例において、サービング基地局２００ａはハンドオーバ決定後（Ｓ１９）、データ転送の回収を行い（Ｓ２０）、その後、ハンドオーバ要求をターゲット基地局２００ｂに送信している。ハンドオーバ要求の送信は、例えば、ハンドオーバ決定（Ｓ１９）とデータ転送回収（Ｓ２０）の間でもよい。
【０２９５】
＜第２の動作例と第３の動作例＞
本第６の実施の形態において、上述した第１の動作例において説明したように、転送対象データ決定処理が行われ（図４７のＳ８０）、その後、送信待ちのデータが送信される（Ｓ７７）ことが第５の実施の形態と異なり、それ以外の処理についてほぼ同様である。
【０２９６】
図４８及び図４９は、例えば第２の動作例におけるシーケンス例をそれぞれ表わす図である。サービング基地局２００ａは、第５の実施の形態における第２の動作例と同様に、再送状態（又は再送の有無）と送信時間を再送情報テーブル２３１に保持し（Ｓ７５）、再送発生率などを計算して、統計情報テーブル２３２に記憶する（Ｓ３０）。
【０２９７】
そして、サービング基地局２００ａは、送信待ちのＰＤＵについて送信可否を決定し（Ｓ７６）、統計情報テーブル２３２に基づいて転送対象データを決定する（Ｓ８１）。送信可否決定処理と転送対象データ決定処理も、第５の実施の形態における第２の動作例と同様に実施することができる（例えば、それぞれ図３５と図３９）。
【０２９８】
ただし、第１の動作例と同様に、サービング基地局２００ａがハンドオーバを確定する（Ｓ７８）のは下り方向の割当て情報を送信する直前であり、最大保留可能時間が第５の実施の形態とは異なる時間となる。
【０２９９】
そして、サービング基地局２００ａは、転送対象データをターゲット基地局２００ｂに送信し（Ｓ２２）、送信待ちのＰＤＵを送信できるときは送信する（Ｓ７７）。次いで、サービング基地局２００ａはハンドオーバを確定し（図４９のＳ７８）、下り方向の割当て情報（ＤＬ  ａｌｌｏｃａｔｉｏｎ）を端末１００に送信する。以降は本第６の実施の形態における第１の動作例を同一の処理が行われる。
【０３００】
次に、第３の動作例について説明する。図５０は第３の動作例におけるシーケンス例を表わす図である。サービング基地局２００ａは、電波状況を電波状況テーブル２３３に保持し（Ｓ３５）、送信可否を決定した後（Ｓ７６）、保持した電波状況テーブル２３３に基づいて転送対象データを決定する（Ｓ８２）。
【０３０１】
そして、サービング基地局２００ａは転送対象データをターゲット基地局２００ｂに送信し、送信待ちのＰＤＵを送信できるときは送信する（Ｓ７７）。次いで、サービング基地局２００ａはハンドオーバを確定し（Ｓ７８）、下り方法の割当て情報（ＤＬ  ａｌｌｏｃａｔｉｏｎ）を端末１００に送信する（Ｓ９０）。以降は本第６の実施の形態における第１の動作例と同一の処理が行われる。
【０３０２】
＜第４の動作例＞
次に、第１から第３の動作例の各動作例について組み合わせた動作例について説明する。それぞれの場合についても、転送対象データ決定処理が行われ（例えば図５１のＳ８３）、その後、送信待ちのデータが送信される（Ｓ７７）ことが第５の実施の形態と異なり、それ以外の処理についてほぼ同様である。
【０３０３】
図５１及び図５２は第１の動作例（呼ごとの再送状態）と第２の動作例（再送発生率による無線品質）とを組み合わせた場合のシーケンス例を表わす図である。サービング基地局２００ａは、第５の実施の形態における第４の動作例と同様に、再送状態（又は再送の有無）と送信時間を再送情報テーブル２３１に保持し（Ｓ７５）、再送発生率などを計算して、統計情報テーブル２３２に記憶する（Ｓ３０）。
【０３０４】
そして、サービング基地局２００ａは、送信待ちのＰＤＵについて送信可否を決定し（Ｓ７６）、再送状態と無線品質などから転送対象データを決定する（Ｓ８３）。図４２は、例えは本第４の動作例における転送対象データ決定処理のシーケンス例を表わしており、最大保留可能時間が第５の実施の形態における場合と異なること以外は、第５の実施の形態と同様に実施することができる。
【０３０５】
転送対象データを決定後、サービング基地局２００ａは、転送対象データをターゲット基地局２００ｂに送信し（Ｓ２２）、送信可否決定（Ｓ７６）により送信待ちのＰＤＵについて送信できることを決定したときは当該ＰＤＵを端末１００に送信する（Ｓ７７）。
【０３０６】
次いで、サービング基地局２００ａはハンドオーバを確定し（図５２のＳ７８）、下り方向の割当て情報（ＤＬ  ａｌｌｏｃａｔｉｏｎ）を端末１００に送信する（Ｓ９０）。以降は本第６の実施の形態における第１の動作例と同一の処理が行われる。
【０３０７】
図５３は第１の動作例（呼ごとの再送状態）と第３の動作例（電波状況による無線品質）を組み合わせた場合のシーケンス例を表わす図である。サービング基地局２００ａは、第５の実施の形態における第４の動作例と同様に、再送状態（又は再送の有無）と送信時間を再送情報テーブル２３１に保持し（Ｓ７５）、電波状況を電波状況テーブル２３３に保持する（Ｓ３５）。
【０３０８】
そして、サービング基地局２００ａは、送信待ちのＰＤＵについて送信可否を決定し（Ｓ７６）、再送情報テーブル２３１と電波状況テーブル２３３など基づいて転送対象データを決定する（Ｓ８４）。転送対象データ決定処理は、第５の実施の形態における第４の動作例と同様に実施することができる（例えば図４２）。
【０３０９】
転送対象データ決定後、サービング基地局２００ａは、転送対象データをターゲット基地局２００ｂに送信し（Ｓ２２）、送信可否決定（Ｓ７６）により送信待ちのＰＤＵについて送信できることを決定したときは当該ＰＤＵを端末１００に送信する（Ｓ７７）。次いで、サービング基地局２００ａはハンドオーバを確定し（Ｓ７８）、下り方向の割り当て情報（ＤＬ  ａｌｌｏｃａｔｉｏｎ）を端末１００に送信する（Ｓ９０）。以降は第６の実施のけいたいにおける第１の動作例と同一の処理が行われる。
【０３１０】
図５４及び図５５は第２の動作例と第３の動作例を組み合わせた場合のシーケンス例を表わす図である。サービング基地局２００ａは、第５の実施の形態における第４の動作例と同様に、再送状態（又は再送の有無）と送信時間を再送情報テーブル２３１に保持し（Ｓ７５）、電波状況を電波状況テーブル２３３に保持する（Ｓ３５）。また、サービング基地局２００ａは、再送情報テーブル２３１に基づいて、再送発生率を計算して、再送状態や再送発生率などを統計情報テーブル２３２に保持する（Ｓ３０）。
【０３１１】
そして、サービング基地局２００ａは、送信待ちのＰＤＵについて送信可否を決定し（Ｓ７６）、統計情報テーブル２３２と電波状況テーブル２３３に基づいて転送対象データを決定する（Ｓ６５）。以降は本第６の実施の形態における第１の動作例と同一の処理が行われる。
【０３１２】
以上第６の実施の形態について第１から第４の動作例について説明したが、本第６の実施の形態におけるサービング基地局２００ａは、第５の実施の形態と同様に、送信待ちのデータがある場合において送信できる状態のとき、送信待ちのデータを端末１００に送信している。そして、サービング基地局２００ａは、送信待ちのデータをターゲット基地局２００ｂに転送しないようにしている。
【０３１３】
よって、ターゲット基地局２００ｂから端末１００に送信待ちのデータ（例えばシーケンス番号ＳＮ５〜ＳＮ６のＰＤＵ）が送信されることがなく、ターゲット基地局２００ｂは送信待ちのデータをサービング基地局２００ａと重複して端末１００に送信することがなくなる。また、この場合、端末１００は、２つの基地局２００ａ，２００ｂから送信待ちのデータ（例えばシーケンス番号ＳＮ５〜ＳＮ６）を受信することがなくなり、重複受信することがない。
【０３１４】
さらに、送信待ちのデータ（例えばシーケンス番号ＳＮ５〜ＳＮ６）はサービング基地局２００ａから送信されるため（例えばＳ７７）、送信待ちのデータが送信されずにデータの欠落が生じる事態が回避されることができる。
【０３１５】
［第７の実施の形態］
上述した第２の実施の形態では、
１）第１の動作例として、例えば、サービング基地局２００ａが呼ごとに保持した再送状態（再送の有無）に基づいて転送対象データを決定する例について説明した。
【０３１６】
２）また、第２の動作例として、例えば、サービング基地局２００ａが近隣セルごとに保持した再送発生率などのデータ通信状況に基づいて転送対象データを決定する例について説明した。
【０３１７】
３）さらに、第３の動作例として、例えば、サービング基地局２００ａ（例えばハンドオーバ元の基地局）と端末１００との間の無線電波状況に基づいて転送対象データを決定する例について説明した。
【０３１８】
そして、第２の実施の形態では、さらに、第１の動作例と第２の動作例の組み合わせの例と、第１の動作例と第３の動作例の組み合わせの例についても説明した。
【０３１９】
また、第４の実施の形態では、さらに、第２の動作例と第３の動作例の組み合わせについても説明した。
【０３２０】
本第７の実施の形態では、第１の動作例と第２の動作例と第３の動作例の組み合わせの例について説明する。第７の実施の形態のシーケンスは、例えば、第４の実施の形態で説明した図３１により実施することができる。
【０３２１】
すなわち、サービング基地局２００ａは、第４の実施の形態と同様に、呼ごとの再送状態を再送情報テーブル２３１に保持する（Ｓ１８）。図６は、例えば、再送情報テーブル２３１の例を表わしている。
【０３２２】
また、サービング基地局２００ａは、第４の実施の形態と同様に、端末１００又はサービング基地局２００ａで測定された無線品質を電波状況として電波状況テーブル２３３に保持する（Ｓ３５）。図１７（Ａ）は、例えば、電波状況テーブル２３３の例を表わしている。
【０３２３】
さらに、サービング基地局２００ａは、第４の実施の形態と同様に、近隣セルごとの再送状態と再送発生率とを統計情報テーブル２３２に記憶する（Ｓ３０）。図１３（Ａ）は、例えば、統計情報テーブル２３２の例を表わしている。
【０３２４】
そして、サービング基地局２００ａは、これら保持した結果から無線品質を判定し、転送対象データを判断する（Ｓ６５）。
【０３２５】
図５６は、呼ごとの再送状態、電波状況、近隣セルごとの再送状態と再送発生率の３つの組み合わせにより「無線品質」がどのように判断されるかの判断例を表わしている。例えば、再送情報テーブル２３１に保持された呼ごとの再送状態が、図５６における「呼ごとの再送状態」に相当する。また、統計情報テーブル２３２に保持された再送発生率による無線品質が、図５６における「再送発生率による無線品質」に相当する。さらに、電波状況テーブル２３３に保持された電波状況による無線品質が、図５６における「電波状況における無線品質」に相当する。  
【０３２６】
例えば、サービング基地局２００ａの転送対象データ決定部２４３は、メモリ部２３０に記憶された３つのテーブル２３１，２３２，２３３から呼ごとの再送状態や、再送発生率による無線品質、電波状況による無線品質をそれぞれ読み出す。そして、転送対象データ決定部２４３は、例えば、図５６に表わされるように「呼ごとの再送状態」が「なし」（＝再送なし）であり、「再送発生率による無線品質」と「電波状況による無線品質」がともに「良」のとき、「無線品質」は「良」と判断する。転送対象データ決定部２４３は、例えば、それ以外のときは「無線品質」は「劣」と判断する。
【０３２７】
そして、転送対象データ決定部２４３は、「無線品質」の判断結果を、例えば、図９（Ｂ）のＳ３０１の判断結果として、転送対象データを決定する（Ｓ３０２，Ｓ３０３）。この場合、転送対象データ決定部２４３は、「無線品質」が「良」のとき、転送対象データを「処理待ちのＳＤＵ」（例えば「ＳＤＵ−Ｂ」以降のＳＤＵ）とすることができる（Ｓ３０２、図５６）。一方、転送対象データ決定部２４３は、「無線品質」が「劣」のとき、転送対象データを「処理中のＳＤＵ」（例えば、「ＳＤＵ−Ａ」と「ＳＤＵ−Ｂ」以降のＳＤＵ）とすることができる（Ｓ３０３，図５６）。
【０３２８】
この場合、最終的な「無線品質」の判断において、「良」となるのは、「呼ごとの再送状態」を含めているため、第２の動作例と第３の動作例とを組み合わせた例（第４の実施の形態）よりもさらに信頼性が高く（又は増す）することができる。
【０３２９】
なお、この第１の動作例から第３の動作例をすべて組み合わせた例は、第５の実施の形態と第６の実施の形態においても実施することができる。
【０３３０】
例えば、第５の実施の形態における図４５は、ハンドオーバ決定前に端末１００に送信されてない未送信のＰＤＵがある例において、未送信のＰＤＵが端末１００に送信された後で（Ｓ７７）、転送対象データが決定される（Ｓ８５）例におけるシーケンス図を表わしている。第５の実施の形態において、第１の動作例から第３の動作例を組み合わせた動作例は、例えば、この図４５により実施することができる。
【０３３１】
すなわち、サービング基地局２００ａは、呼ごとの再送状態と送信時間を再送情報テーブル２３１に保持する（Ｓ７５）。図３４は、例えば、再送情報テーブル２３１の例を表わしている。
【０３３２】
また、サービング基地局２００ａは、端末１００又はサービング基地局２００ａで測定された無線品質を電波状況として電波状況テーブル２３３に保持する（Ｓ３５）。図１７（Ａ）は、例えば、電波状況テーブル２３３の例を表わしている。
【０３３３】
さらに、サービング基地局２００ａは、近隣セルごとの再送状態と再送発生率とを統計情報テーブル２３２に記憶する（Ｓ３０）。図１３（Ａ）は、例えば、統計情報テーブル２３２の例を表わしている。
【０３３４】
そして、サービング基地局２００ａは、これら保持した結果から無線品質を判定し、転送対象データを判断する（Ｓ８５）。転送対象データの判断は、例えば図５６に表わされるように、上述した例と同様に判断することができる。この場合、例えば、転送対象データ決定部２４３は、転送対象データ決定処理の例を表わす図３９のＳ８１１の判断結果とすることで、第５の実施の形態と同様に転送対象データを決定することができる。
【０３３５】
また、例えば、第６の実施の形態における図５４は、ハンドオーバ決定前に端末１００に送信されていない未送信のＰＤＵがある例において、転送対象データ決定後（Ｓ６５）、未送信のＰＤＵを端末１００に送信する（Ｓ７７）例におけるシーケンス図を表わしている。第６の実施の形態において、第１の動作例から第３の動作例を組み合わせた動作例は、例えば、この図５４により実施することができる。
【０３３６】
すなわち、サービング基地局２００ａは、呼ごとの再送状態と送信時間を再送情報テーブル２３１に保持する（Ｓ７５）。図３４は、例えば、再送情報テーブル２３１の例を表わしている。
【０３３７】
また、サービング基地局２００ａは、端末１００又はサービング基地局２００ａで測定された無線品質を電波状況として電波状況テーブル２３３に保持する（Ｓ３５）。図１７（Ａ）は、例えば、電波状況テーブル２３３の例を表わしている。
【０３３８】
さらに、サービング基地局２００ａは、近隣セルごとの再送状態と再送発生率とを統計情報テーブル２３２に記憶する（Ｓ３０）。図１３（Ａ）は、例えば、統計情報テーブル２３２の例を表わしている。
【０３３９】
そして、サービング基地局２００ａは、これら保持した結果から無線品質を判定し、転送対象データを判断する（Ｓ６５）。転送対象データの判断は、例えば図５６に表わされるように、上述した例と同様に判断することができる。この場合、例えば、転送対象データ決定部２４３は、転送対象データ決定処理の例を表わす図３９のＳ８１１の判断結果とすることで、第５の実施の形態と同様に転送対象データを決定することができる。
【０３４０】
第５及び第６の実施の形態において、第１の動作例から第３の動作例を組み合わせた動作例も、最終的な「無線品質」の判断において、「呼ごとの再送状態」が含まれているため、第２及び第３の動作例を組み合わせた例よりもさらに信頼性を高く（又は増す）することができる。
【０３４１】
以上まとめると付記のようになる。
【０３４２】
（付記１）  
移動端末装置と無線通信を行う無線基地局装置において、
前記移動端末装置との間で行われたデータの再送の有無に基づいて、ハンドオーバ先の無線基地局装置に転送する転送対象データを決定する転送対象データ決定部と、
前記決定した転送対象データを前記ハンドオーバ先の無線基地局装置に転送するデータ転送処理部と
を備えることを特徴とする無線基地局装置。
【０３４３】
（付記２）
更に、前記移動端末装置に送信するデータを記憶するメモリ部を備え、
前記転送対象データ決定部は、前記移動端末装置についてハンドオーバすることを決定し、かつ、前記メモリ部に前記データが記憶されているとき、前記転送対象データを決定することを特徴とする付記１記載の無線基地局装置。
【０３４４】
（付記３）
更に、前記移動端末装置に送信するデータを記憶するメモリ部を備え、
前記転送対象データ決定部は、前記データの再送が行われたとき、前記再送が行われたデータを含む第１のデータ群と前記メモリ部に記憶された第２のデータ群とを前記転送対象データとして決定し、前記データの再送が行われなかったとき、前記メモリ部に記憶された前記第２のデータ群を前記転送対象データとして決定し、
前記データ転送処理部は、前記データの再送が行われたとき、前記第１のデータ群と前記第２のデータ群とを前記ハンドオーバ先の無線基地局装置に転送し、前記データの再送が行われなかったとき、前記第２のデータ群を前記ハンドオーバ先の無線基地局装置に転送することを特徴とする付記１記載の無線基地局装置。
【０３４５】
（付記４）
前記転送対象データ決定部は、監視期間内における前記データの再送の有無に基づいて前記転送対象データを決定することを特徴とする付記１記載の無線基地局装置。
【０３４６】
（付記５）
前記転送対象データ決定部は、１又は複数のデータを有するデータ群を前記転送対象データとして決定したとき、前記ハンドオーバ先の無線基地局装置から前記移動端末装置に送信を開始する前記データのシーケンス番号を決定し、
前記データ転送処理部は、前記決定したシーケンス番号を前記ハンドオーバ先の無線基地局装置に通知することを特徴とする付記１記載の無線基地局装置。
【０３４７】
（付記６）
前記転送対象データ決定部は、前記データの再送の有無に基づく再送発生率を前記ハンドオーバ先の無線基地局装置ごとに演算し、前記再送発生率に対応する無線品質に基づいて前記転送対象データを決定することを特徴とする付記１記載の無線基地局装置。
【０３４８】
（付記７）
更に、前記移動端末装置に送信するデータを記憶するメモリ部を備え、
前記転送対象データ決定部は、前記再送発生率が閾値以上のときに第１の無線品質と判定し、前記再送発生率が前記閾値より小さいときに第２の無線品質と判定し、前記第１の無線品質と判定したとき、前記移動端末装置に送信しているデータを含む第１のデータ群と前記メモリ部に記憶された第２のデータ群とを前記転送対象データとして決定し、前記第２の無線品質と判定したとき、前記メモリ部に記憶された前記第２のデータ群を前記転送対象データとして決定し、
前記データ転送処理部は、前記無線品質が前記第１の無線品質と判定されたとき、前記第１のデータ群と前記第２のデータ群とを前記ハンドオーバ先の無線基地局装置に転送し、前記無線品質が前記第２の無線品質と判定されたとき、前記第２のデータ群を前記ハンドオーバ先の無線基地局装置に転送することを特徴とする付記６記載の無線基地局装置。
【０３４９】
（付記８）
前記転送対象データ決定部は、１又は複数のデータを有するデータ群を前記転送対象データとして決定したとき、前記ハンドオーバ先の無線基地局装置から前記移動端末装置に送信を開始する前記データのシーケンス番号を決定し、
前記データ転送処理部は、前記決定したシーケンス番号を前記ハンドオーバ先の無線基地局装置に通知することを特徴とする付記６記載の無線基地局装置。
【０３５０】
（付記９）
移動端末装置と無線通信を行う無線基地局装置において、
前記移動端末装置との間の無線品質に基づいて、ハンドオーバ先の無線基地局装置に転送する転送対象データを決定する転送対象データ決定部と、
前記決定した転送対象データを前記ハンドオーバ先の無線基地局装置に転送するデータ転送処理部と
を備えることを特徴とする無線基地局装置。
【０３５１】
（付記１０）
更に、前記移動端末装置に送信するデータを記憶するメモリ部を備え、
前記転送対象データ決定部は、前記移動端末装置についてハンドオーバすることを決定し、かつ、前記メモリ部に前記データが記憶されているとき、前記転送対象データを決定することを特徴とする付記９記載の無線基地局装置。
【０３５２】
（付記１１）
前記転送対象データ決定部は、前記データの再送の有無に基づく再送発生率を前記ハンドオーバ先の無線基地局装置ごとに演算し、前記再送発生率に対応する無線品質に基づいて前記転送対象データを決定することを特徴とする付記９記載の無線基地局装置。
【０３５３】
（付記１２）
更に、前記移動端末装置に送信するデータを記憶するメモリ部を備え、
前記転送対象データ決定部は、前記再送発生率が閾値以上のときに前記無線品質を第１の無線品質と判定し、前記再送発生率が前記閾値より小さいときに前記無線品質を第２の無線品質と判定し、前記第１の無線品質と判定したとき、前記移動端末装置に送信しているデータを含む第１のデータ群と前記メモリ部に記憶された第２のデータ群とを前記転送対象データとして決定し、前記第２の無線品質と判定したとき、前記メモリ部に記憶された前記第２のデータ群を前記転送対象データとして決定し、
前記データ転送処理部は、前記無線品質が前記第１の無線品質と判定されたとき、前記第１のデータ群と前記第２のデータ群とを前記ハンドオーバ先の無線基地局装置に転送し、前記無線品質が前記第２の無線品質と判定されたとき、前記第２のデータ群を前記ハンドオーバ先の無線基地局装置に転送することを特徴とする付記１１記載の無線基地局装置。
【０３５４】
（付記１３）
前記転送対象データ決定部は、１又は複数のデータを有するデータ群を前記転送対象データとして決定したとき、前記ハンドオーバ先の無線基地局装置から前記移動端末装置に送信を開始する前記データのシーケンス番号を決定し、
前記データ転送処理部は、前記決定したシーケンス番号を前記ハンドオーバ先の無線基地局装置に通知することを特徴とする付記１１記載の無線基地局装置。
【０３５５】
（付記１４）
更に、前記移動端末装置に送信するデータを記憶するメモリ部を備え、
前記転送対象データ決定部は、前記移動端末装置または前記無線基地局装置において測定した前記無線品質が閾値以上のときに前記無線品質を第３の無線品質と判定し、前記測定した前記無線品質が閾値より小さいときに前記無線品質を第４の無線品質と判定し、前記第３の無線品質と判定したとき、前記移動端末装置に送信しているデータを含む第３のデータ群と前記メモリ部に記憶された第４のデータ群とを前記転送対象データとして決定し、前記第４の無線品質と判定したとき、前記メモリ部に記憶された前記第４のデータ群を前記転送対象データとして決定し、
前記データ転送処理部は、前記無線品質が前記第３の無線品質と判定されたとき、前記第３のデータ群と前記第４のデータ群とを前記ハンドオーバ先の無線基地局装置に転送し、前記無線品質が前記第４の無線品質と判定されたとき、前記第４のデータ群を前記ハンドオーバ先の無線基地局装置に転送することを特徴とする付記９記載の無線基地局装置。
【０３５６】
（付記１５）
移動端末装置と無線通信を行う無線基地局装置において、
前記移動端末装置との間で行われたデータの再送の有無と前記移動端末装置との間の無線品質とに基づいて、ハンドオーバ先の無線基地局装置に転送する転送対象データを決定する転送対象データ決定部と、
前記決定した転送対象データを前記ハンドオーバ先の無線基地局装置に転送するデータ転送処理部と
を備えることを特徴とする無線基地局装置。
【０３５７】
（付記１６）
移動端末装置と無線通信を行う無線基地局装置におけるデータ転送方法であって、
前記移動端末装置との間で行われたデータの再送の有無に基づいて、ハンドオーバ先の無線基地局装置に転送する転送対象データを決定し、
前記決定した転送対象データを前記ハンドオーバ先の無線基地局装置に転送する
ことを特徴とするデータ転送方法。
【０３５８】
（付記１７）
移動端末装置と無線通信を行う無線基地局装置におけるデータ転送方法であって、
前記移動端末装置との間の無線品質に基づいて、ハンドオーバ先の無線基地局装置に転送する転送対象データを決定し、
前記決定した転送対象データを前記ハンドオーバ先の無線基地局装置に転送する
ことを特徴とするデータ転送方法。
【０３５９】
（付記１８）
移動端末装置と無線通信を行う無線基地局装置におけるデータ転送方法であって、
前記移動端末装置との間で行われたデータの再送の有無と前記移動端末装置との間の無線品質とに基づいて、ハンドオーバ先の無線基地局装置に転送する転送対象データを決定し、
前記決定した転送対象データを前記ハンドオーバ先の無線基地局装置に転送する
ことを特徴とするデータ転送方法。
【０３６０】
（付記１９）
前記転送対象データ決定部は、前記無線品質のうち、前記データの再送の有無に基づいて演算した前記ハンドオーバ先の無線基地局装置における再送発生率に対応する第１の無線品質と、前記移動端末装置又は前記無線基地局装置で測定された第２の無線品質とに基づいて、前記転送対象データを決定することを特徴とする付記９記載の無線基地局装置。
【０３６１】
（付記２０）
更に、前記移動端末装置に送信するデータを記憶するメモリ部を備え、
前記転送対象データ決定部は、前記移動端末装置の前記ハンドオーバ先の無線基地局装置へのハンドオーバを決定したときに前記メモリ部に記憶された第１のデータ群に含まれるデータのうち第１のデータを前記移動端末装置に送信し、前記第１のデータ群に含まれる第２のデータを前記移動端末装置に送信していないとき、前記第１のデータに対する再送の有無と前記第２のデータに対する送信可否とに基づいて前記転送対象データを決定することを特徴とする付記１記載の無線基地局装置。
【０３６２】
（付記２１）
前記転送対象データ決定部は、前記第１のデータの再送が行われたとき、又は、前記第１のデータの再送が行われなかったときであって前記第２のデータの前記移動端末装置への送信が行われないとき、前記第１のデータ群を前記転送対象データとして決定し、前記第１のデータの再送が行われなかったときであって前記第２のデータの前記移動端末装置への送信が行われるとき、前記第１のデータ群に続く前記メモリ部に記憶された第２のデータ群を前記転送対象データとして決定することを特徴とする付記１９記載の無線基地局装置。
【０３６３】
（付記２２）
前記転送対象データ決定部は、
前記第１のデータの再送が行われたとき、前記第１のデータに対するシーケンス番号を通知することを決定し、
前記第１のデータの再送が行われなかったときであって前記第２のデータの前記移動端末装置への送信が行われなかったとき、前記第２のデータに対するシーケンス番号を通知することを決定し、
前記第１のデータの再送が行われなかったときであって前記第２のデータの前記移動端末装置への送信が行われたとき、前記第２のデータ群に含まれる第３のデータに対するシーケンス番号を通知することを決定し、
前記データ転送処理部は、前記決定したシーケンス番号を前記ハンドオーバ先の無線基地局装置に転送することを特徴とする付記２０記載の無線基地局装置。
【０３６４】
（付記２３）
更に、前記移動端末装置に送信するデータを記憶するメモリ部を備え、
前記転送対象データ決定部は、前記移動端末装置の前記ハンドオーバ先の無線基地局装置へのハンドオーバを決定したときに前記メモリ部に記憶された第１のデータ群に含まれるデータのうち第１のデータを前記移動端末装置に送信し、前記第１のデータ群に含まれる第２のデータを前記移動端末装置に送信していないとき、前記無線品質と前記第２のデータに対する送信可否とに基づいて前記転送対象データを決定することを特徴とする付記９記載の無線基地局装置。
【０３６５】
（付記２４）
前記転送対象データ決定部は、
前記第１のデータの再送の有無に基づく再送発生率が閾値以上のときに前記無線品質を第１の無線品質と判定し、前記再送発生率が前記閾値より小さいときに前記無線品質を第２の無線品質と判定し、
前記無線品質を前記第２の無線品質と判定したとき、又は、前記無線品質を前記第１の無線品質と判定したときであって前記第２のデータの送信が行われないとき、前記第１のデータ群を前記転送対象データとして決定し、
前記無線品質を前記第１の無線品質と判定したときであって前記第２の送信が行われるとき、前記第１のデータ群に続く前記メモリ部に記憶された第２のデータ群を前記転送対象データとして決定することを特徴とする付記２３記載の無線基地局装置。
【０３６６】
（付記２５）
前記転送対象データ決定部は、
前記無線品質を前記第２の無線品質と判定したとき、前記第１のデータに対するシーケンス番号を通知することを決定し、
前記無線品質を前記第１の無線品質と判定したときであって前記第２のデータの送信が行われないとき前記第２のデータに対するシーケンス番号を通知することを決定し、
前記無線品質を前記第１の無線品質と判定したときであって前記第２のデータの送信が行われるとき前記第２のデータ群に含まれる第３のデータに対するシーケンス番号を通知することを決定し、
前記データ転送処理部は、前記決定したシーケンス番号を前記ハンドオーバ先の無線基地局装置に転送することを特徴とする付記２４記載の無線基地局装置。
【０３６７】
（付記２６）
前記転送対象データ決定部は、
前記移動端末装置又は前記無線基地局装置で測定された前記無線品質が閾値以上のときに前記無線品質を第３の無線品質と判定し、前記無線品質が前記閾値より小さいときに前記無線品質を第４の無線品質と判定し、
前記無線品質を前記第２の無線品質と判定したとき、又は、前記無線品質を前記第１の無線品質と判定したときであって前記第２のデータの送信が行われないとき、前記第１のデータ群を前記転送対象データとして決定し、
前記無線品質を前記第１の無線品質と判定したときであって前記第２のデータの送信が行われるとき、前記第１のデータ群に続く前記メモリ部に記憶された第２のデータ群を前記転送対象データとして決定することを特徴とする付記２５記載の無線基地局装置。
【０３６８】
（付記２７）
前記無線品質を前記第２の無線品質と判定したとき、前記第１のデータに対するシーケンス番号を通知することを決定し、
前記無線品質を前記第１の無線品質と判定したときであって前記第２のデータの送信が行われたないとき前記第２のデータに対するシーケンス番号を通知することを決定し、
前記無線品質を前記第１の無線品質と判定したときであって前記第２のデータの送信が行われるとき前記第２のデータ群に含まれる第３のデータに対するシーケンス番号を通知することを決定し、
前記データ転送処理部は、前記決定したシーケンス番号を前記ハンドオーバ先の無線基地局装置に転送することを特徴とする付記２６記載の無線基地局装置。
【符号の説明】
【０３６９】
１０：無線通信システム                １００：移動端末装置（端末）
１１０：無線送受信部                  １３０：ＲＬＣプロトコル制御部
２００：無線基地局装置（基地局）      ２１０：無線送受信部
２１１：無線電波状況通知部            ２２０：ＲＬＣプロトコル制御部
２２１：第１のデータ通信状況収集部    ２３０：メモリ部
２３１：再送情報テーブル              ２３２：統計情報テーブル
２３３：電波状況テーブル              ２４０：呼制御部
２４１：ハンドオーバ決定部            ２４２：第２のデータ通信状況収集部
２４３：転送対象データ決定部          ２４４：データ転送処理部
２５０：対向Ｅ−ＮｏｄｅＢ  ＩＦ部（対向ＥＮＢ  ＩＦ部）
２６０：ＧＷ  ＩＦ部
【図１】
0005909950.tif 000002
【図２】
0005909950.tif 000003
【図３】
0005909950.tif 000004
【図４】
0005909950.tif 000005
【図５】
0005909950.tif 000006
【図６】
0005909950.tif 000007
【図７】
0005909950.tif 000008
【図８】
0005909950.tif 000009
【図９】
0005909950.tif 000010
【図１０】
0005909950.tif 000011
【図１１】
0005909950.tif 000012
【図１２】
0005909950.tif 000013
【図１３】
0005909950.tif 000014
【図１４】
0005909950.tif 000015
【図１５】
0005909950.tif 000016
【図１６】
0005909950.tif 000017
【図１７】
0005909950.tif 000018
【図１８】
0005909950.tif 000019
【図１９】
0005909950.tif 000020
【図２０】
0005909950.tif 000021
【図２１】
0005909950.tif 000022
【図２２】
0005909950.tif 000023
【図２３】
0005909950.tif 000024
【図２４】
0005909950.tif 000025
【図２５】
0005909950.tif 000026
【図２６】
0005909950.tif 000027
【図２７】
0005909950.tif 000028
【図２８】
0005909950.tif 000029
【図２９】
0005909950.tif 000030
【図３０】
0005909950.tif 000031
【図３１】
0005909950.tif 000032
【図３２】
0005909950.tif 000033
【図３３】
0005909950.tif 000034
【図３４】
0005909950.tif 000035
【図３５】
0005909950.tif 000036
【図３６】
0005909950.tif 000037
【図３７】
0005909950.tif 000038
【図３８】
0005909950.tif 000039
【図３９】
0005909950.tif 000040
【図４０】
0005909950.tif 000041
【図４１】
0005909950.tif 000042
【図４２】
0005909950.tif 000043
【図４３】
0005909950.tif 000044
【図４４】
0005909950.tif 000045
【図４５】
0005909950.tif 000046
【図４６】
0005909950.tif 000047
【図４７】
0005909950.tif 000048
【図４８】
0005909950.tif 000049
【図４９】
0005909950.tif 000050
【図５０】
0005909950.tif 000051
【図５１】
0005909950.tif 000052
【図５２】
0005909950.tif 000053
【図５３】
0005909950.tif 000054
【図５４】
0005909950.tif 000055
【図５５】
0005909950.tif 000056
【図５６】
0005909950.tif 000057